(57)【要約】  ズームレンズは、物体側から像側に順に、正の屈折力の第１レンズ群（Ｇ１）と、負の屈折力の第２レンズ群（Ｇ２）と、正の屈折力の第３レンズ群（Ｇ３）と、負の屈折力の第４レンズ群（Ｇ４）と、からなり、第４レンズ群は、少なくとも２枚のレンズを有し、広角端から望遠端への変倍に際して、第１レンズ群と第２レンズ群との間隔が広がり、第２レンズ群と第３レンズ群との間隔は狭まり、第３レンズ群と第４レンズ群との間隔は変動し、第１レンズ群は、像側へ移動した後、物体側へ移動することを特徴とする。
2014061391.tif 000002
【特許請求の範囲】
【請求項１】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動することを特徴とするズームレンズ。
【請求項２】
物体側から像側に順に、
正の屈折力の第１レンズ群と、
負の屈折力の第２レンズ群と、
正の屈折力の第３レンズ群と、
負の屈折力の第４レンズ群と、からなり、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
以下の条件式（１）を満足することを特徴とするズームレンズ。
０．６５＜β2t／β3t＜５      （１）
ここで、
β2tは、望遠端における前記第２レンズ群の倍率、
β3tは、望遠端における前記第３レンズ群の倍率、
であって、いずれも、無限遠物点に合焦した時の倍率、
である。
【請求項３】
広角端から望遠端への変倍に際して、
前記第２レンズ群の移動は、像側への移動と、その後の物体側への移動とを少なくとも含むことを特徴とする請求項１に記載のズームレンズ。
【請求項４】
以下の条件式（２）を満足することを特徴とする請求項１又は２に記載のズームレンズ。
０．４８＜β2w／β3w＜２      （２）
ここで、
β2wは、広角端における前記第２レンズ群の倍率、
β3wは、広角端における前記第３レンズ群の倍率、
であって、いずれも、無限遠物点に合焦した時の倍率、
である。
【請求項５】
以下の条件式（３）を満足することを特徴とする請求項１、２、４のいずれか１項に記載のズームレンズ。
３＜β2t／β2w＜７      （３）
ここで、
β2tは、望遠端における前記第２レンズ群の倍率、
β2wは、広角端における前記第２レンズ群の倍率、
であって、いずれも、無限遠物点に合焦した時の倍率、
である。
【請求項６】
以下の条件式（４）を満足することを特徴とする請求項１、２、４、５のいずれか１項に記載のズームレンズ。
−１．９＜β2t＜−０．７５      （４）
β2tは、望遠端における前記第２レンズ群の倍率であって、無限遠物点に合焦した時の倍率、
である。
【請求項７】
以下の条件式（５）を満足することを特徴とする請求項１、２、４から６のいずれか１項に記載のズームレンズ。
０．８＜ＴＬt／ｆt＜１．５      （５）
ここで、
ＴＬtは、望遠端における前記ズームレンズ全系の全長であって、無限遠物点に合焦した時の全長、
ｆtは、望遠端における前記ズームレンズ全系の焦点距離、
である。
【請求項８】
以下の条件式（６）を満足することを特徴とする請求項１、２、４から７のいずれか１項に記載のズームレンズ。
０．３＜ｆ1／ｆt＜１．０      （６）
ここで、
ｆ1は、前記第１レンズ群の焦点距離、
ｆtは、望遠端における前記ズームレンズ全系の焦点距離、
である。
【請求項９】
以下の条件式（７）を満足することを特徴とする請求項１、２、４から８のいずれか１項に記載のズームレンズ。
１．４＜β4w＜３      （７）
ここで、
β4wは、広角端における前記第４レンズ群の倍率であって、無限遠物点に合焦した時の倍率、
である。
【請求項１０】
前記第２レンズ群の最も像面側から前記第３レンズ群の最も像面側の間に明るさ絞りを有し、
前記明るさ絞りは、前記第３レンズ群と共に移動することを特徴とする請求項１、２、４から９のいずれか１項に記載のズームレンズ。
【請求項１１】
以下の条件式（８）を満足することを特徴とする請求項１、２、４から１０のいずれか１項に記載のズームレンズ。
０．７７＜｜Δ23／Δ12｜＜２．５      （８）
ここで、
Δ12＝Ｄ12W−Ｄ12T、Δ23＝Ｄ23W−Ｄ23Tであって、
Ｄ12Wは、広角端における前記第１レンズ群と前記第２レンズ群の間隔、
Ｄ12Tは、望遠端における前記第１レンズ群と前記第２レンズ群の間隔、
Ｄ23Wは、広角端における前記第２レンズ群と前記第３レンズ群の間隔、
Ｄ23Tは、望遠端における前記第２レンズ群と前記第３レンズ群の間隔、
である。
【請求項１２】
以下の条件式（９）を満足することを特徴とする請求項１、２、４から１１のいずれか１項に記載のズームレンズ。
Ｄ3a_max／Ｄ3L-max＜１．２      （９）
ここで、
Ｄ3a_maxは、前記第３レンズ群における空気間隔のうち、最大の空気間隔、
Ｄ3L-maxは、前記第３レンズ群におけるレンズの厚みのうち、最大のレンズ厚み、
である。
【請求項１３】
以下の条件式（１０）を満足することを特徴とする請求項１、２、４から１２のいずれか１項に記載のズームレンズ。
Ｄ4a_max／Ｄ4L-sum＜１．１      （１０）
ここで、
Ｄ4a_maxは、前記第４レンズ群における空気間隔のうち、最大の空気間隔、
Ｄ4L-sumは、前記第４レンズ群におけるレンズの厚み総和、
である。
【請求項１４】
前記第４レンズ群は、最も物体側に配置されたレンズと、最も像側に配置されたレンズと、を有し、
以下の条件式（１１）を満足することを特徴とする請求項１、２、４から１３のいずれか１項に記載のズームレンズ。
０．０１＜｜（ｒ4f＋ｒ4b）｜／｜（ｒ4f−ｒ4b）｜＜４．３５      （１１）
ここで、
ｒ4fは、前記最も物体側に配置されたレンズの物体側レンズ面の近軸曲率半径、
ｒ4bは、前記最も像側に配置されたレンズの像側レンズ面の近軸曲率半径、
である。
【請求項１５】
前記第４レンズ群は、最も物体側に配置されたレンズを有し、
以下の条件式（１２）を満足することを特徴とする請求項１、２、４から１４のいずれか１項に記載のズームレンズ。
０．４＜｜（ｒ4ff＋ｒ4fb）｜／｜（ｒ4ff−ｒ4fb）｜＜２．２      （１２）
ここで、
ｒ4ffは、前記最も物体側に配置されたレンズの物体側レンズ面の近軸曲率半径、
ｒ4fbは、前記最も物体側に配置されたレンズの像側レンズ面の近軸曲率半径、
である。
【請求項１６】
前記第４レンズ群は、最も像側に配置されたレンズを有し、
以下の条件式（１３）を満足することを特徴とする請求項１、２、４から１５のいずれか１項に記載のズームレンズ。
０．４＜｜（ｒ4lf＋ｒ4lb）｜／｜（ｒ4lf−ｒ4lb）｜＜７      （１３）
ここで、
ｒ4lfは、前記最も像側に配置されたレンズの物体側レンズ面の近軸曲率半径、
ｒ4lbは、前記最も像側に配置されたレンズの像側レンズ面の近軸曲率半径、
である。
【請求項１７】
前記第４レンズ群は、最も像側に配置されたレンズを有し、
前記最も像側に配置されたレンズの像側レンズ面の形状は、像側に凹面を向けた形状であることを特徴とする請求項１、２、４から１６のいずれか１項に記載のズームレンズ。
【請求項１８】
前記第２レンズ群は、最も物体側に配置されたレンズを有し、
以下の条件式（１４）を満足することを特徴とする請求項１、２、４から１７のいずれか１項に記載のズームレンズ。
０．５＜（ｒ2ff＋ｒ2fb）／（ｒ2ff−ｒ2fb）＜１．７      （１４）
ここで、
ｒ2ffは、前記第２レンズ群の最も物体側に配置されたレンズの物体側レンズ面の近軸曲率半径、
ｒ2fbは、前記第２レンズ群の最も物体側に配置されたレンズの像側レンズ面の近軸曲率半径、
である。
【請求項１９】
前記第２レンズ群は、負の屈折力のレンズを少なくとも２つ有し、
２つの前記負の屈折力のレンズは、物体側から順に、隣り合って配置されていることを特徴とする請求項１、２、４から１８のいずれか１項に記載のズームレンズ。
【請求項２０】
請求項１から１９のいずれか１項に記載のズームレンズと、
撮像面を有する撮像素子を備えたことを特徴とする撮像装置。
【発明の詳細な説明】
【技術分野】
【０００１】
本発明は、ズームレンズ及びそれを備えた撮像装置に関するものである。
【背景技術】
【０００２】
カメラには、幾つかのタイプがある。そのうち、レンズとカメラボディが一体になっているタイプのカメラがある。このタイプのカメラの光学系では、バックフォーカスが短い。一方、カメラボディ内にクイックリターンミラーが配置されているタイプのカメラ（一眼レフレックスカメラ）がある。このタイプのカメラの光学系では、バックフォーカスが長い。このように、カメラのタイプによって、光学系のバックフォーカスが異なる。バックフォーカスが異なると、光学系の態様も大きく異なってくる。そのため、カメラのタイプに応じて、適切なバックフォーカスを持つ光学系を提供していく必要がある。また、いずれのタイプのカメラにおいても、変倍比が大きい光学系が求められている。【０００３】
変倍比が大きいズームレンズとしては、特許文献１や特許文献２に開示されたズームレンズがある。特許文献１、２に開示されたズームレンズは、物体側より順に、正の屈折力を有する第１レンズ群と、負の屈折力を有する第２レンズ群と、正の屈折力を有する第３レンズ群と、負の屈折力を有する第４レンズ群と、からなる。
【先行技術文献】
【特許文献】
【０００４】
【特許文献１】特許第３５９８９７１号公報
【特許文献２】特開２００７−２７９６２２号公報
【発明の概要】
【発明が解決しようとする課題】
【０００５】
特許文献１、２に開示されたズームレンズは、バックフォーカスが十分に長いとはいえない。そのため、これらのズームレンズを、一眼レフレックスカメラのズームレンズとして使用することは難しい。そこで、これらのズームレンズにおいてバックフォーカスを長くしようとすると、変倍の負担割合が、後群（第３レンズ群や第４レンズ群）において増大する。この場合、第２レンズ群における変倍の負担割合が減少するため、所望の変倍比を得るには第２レンズ群の移動量を多くしなければならなくなる。その結果、光学系の全長が長くなってしまう。また、前玉径が大きくなる。【０００６】
以上のように、特許文献１、２に開示されたズームレンズで所望のバックフォーカスを得ようとすると、光学系を小型化することが困難になる。また、特許文献１、２に開示されたズームレンズは、そのままでは光学系の全長が長いため、光学系を薄型化することが困難である。【０００７】
本発明は、上記に鑑みてなされたものであって、所望のバックフォーカスを有し、小型で、変倍比が大きく、変倍範囲全域で高い光学性能を有するズームレンズ及びこのズームレンズを備えた撮像装置を提供することを目的としている。
【課題を解決するための手段】
【０００８】
上述した課題を解決し、目的を達成するために、本発明のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動することを特徴とする。【０００９】
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
以下の条件式（１）を満足することを特徴とする。
０．６５＜β2t／β3t＜５      （１）
ここで、
β2tは、望遠端における第２レンズ群の倍率、
β3tは、望遠端における第３レンズ群の倍率、
であって、いずれも、無限遠物点に合焦した時の倍率、
である。【００１０】
また、本発明の撮像装置は、
上記のズームレンズと、
撮像面を有する撮像素子を備えたことを特徴とする。
【発明の効果】
【００１１】
本発明によれば、所望のバックフォーカスを有し、小型で、変倍比が大きく、変倍範囲全域で高い光学性能を有するズームレンズ及びこのズームレンズを備えた撮像装置を提供することができる。
【図面の簡単な説明】
【００１２】
【図１】実施例１にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図３】実施例２にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図４】実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図５】実施例３にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図６】実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図７】実施例４にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図８】実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図９】実施例５にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図１０】実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図１１】実施例６にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図１２】実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図１３】実施例７にかかるズームレンズの無限遠物点合焦時の光学構成を示す光軸に沿う断面図であり、（ａ）は広角端、（ｂ）は中間１、（ｃ）は中間２、（ｄ）は中間３、（ｅ）は望遠端での断面図である。
【図１４】実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間２、（ｉ）〜（ｌ）は望遠端での状態を示している。
【図１５】本実施例によるズームレンズを交換レンズとして用いたレンズ交換式カメラの断面図である。
【図１６】本実施例によるレンズ交換式カメラの外観を示す前方斜視図である。
【図１７】図１６のレンズ交換式カメラの後方斜視図である。
【図１８】図１６のレンズ交換式カメラの主要部の内部回路の構成ブロック図である。
【発明を実施するための形態】
【００１３】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１４】
第１実施形態のズームレンズは、物体側から像側に順に、正の屈折力の第１レンズ群と、負の屈折力の第２レンズ群と、正の屈折力の第３レンズ群と、負の屈折力の第４レンズ群と、からなり、第４レンズ群は、少なくとも２枚のレンズを有し、広角端から望遠端への変倍に際して、第１レンズ群と第２レンズ群との間隔が広がり、第２レンズ群と第３レンズ群との間隔は狭まり、第３レンズ群と第４レンズ群との間隔は変動し、第１レンズ群は、像側へ移動した後、物体側へ移動することを特徴とする。
【００１５】
本実施形態のズームレンズでは、広角端から望遠端への変倍に際して、各レンズ群の間隔を変化させている。具体的には、第１レンズ群と第２レンズ群との間隔は広がり、第２レンズ群と第３レンズ群との間隔は狭まる。そして、第１レンズ群は、像側へ移動した後、物体側へ移動する。
【００１６】
本実施形態のズームレンズでは、特に、第１レンズ群を像側に移動させた後に、物体側に移動させること、すなわち、第１レンズ群の移動方向を反転させることにより、光学系の小型化を達成している。
【００１７】
また、第１レンズ群の移動方向を反転させると、第１レンズ群を像側のみに移動させる場合に比べて、広角近傍において、第２レンズ群をより像側に位置させることができる。そうすることで、広角端において、第１レンズ群もより像側に位置させることができる。その結果、第１レンズ群の前玉を通過する軸外光線の高さを低くできるので、第１レンズ群の前玉径を小型にできる。そのため、歪曲収差や非点収差について、光学系全体での補正が容易に行える。
また、本実施形態のズームレンズでは、第４レンズ群は、少なくとも２枚のレンズを有している。これにより、球面収差や色収差について、光学系全体での補正が良好に行える。その結果、高い光学性能の確保と光学系の小型が達成できる。なお、光学系を薄型にするためには、第４レンズ群を２枚のレンズだけで構成する方が好ましい。しかしながら、１つのレンズの屈折力を、２つのレンズの屈折力に分けても良い。このようにすることで、第４レンズ群で発生する収差を小さくできる。この場合、第４レンズ群は３枚のレンズで構成されることになる。
【００１８】
また、第１実施形態のズームレンズでは、広角端から望遠端への変倍に際して、第２レンズ群の移動は、像側への移動と、その後の物体側への移動とを少なくとも含むことが好ましい。
【００１９】
第２レンズ群を像側に移動させた後に、物体側に移動させること、すなわち、第２レンズ群の移動方向を反転させることにより、変倍途中での光学系の小型化と光学性能の向上を可能にしている。
【００２０】
また、第２レンズ群の移動方向を反転させると、第２レンズ群を像側のみに移動させる場合に比べて、第２レンズ群の移動範囲を狭くできる。そのため、広角端において、第２レンズ群をより像側に位置させることができる。そうすることで、広角端において、第１レンズ群もより像側に位置させることができる。その結果、第１レンズ群の前玉を通過する軸外光線の高さを低くできるので、第１レンズ群の前玉径を小型にできる。そのため、歪曲収差や非点収差について、光学系全体での補正が容易に行える。
【００２１】
また、第２レンズ群を像側へ移動範囲を狭くできるため、第２レンズ群と第３レンズ群との間の空間を広げることなく、第２レンズ群の変倍の負担割合を大きくできる。すなわち、第２レンズ群を、ズームレンズ全系の変倍比に大きく寄与するレンズ群の１つにできる。
【００２２】
また、第２実施形態のズームレンズは、物体側から像側に順に、正の屈折力の第１レンズ群と、負の屈折力の第２レンズ群と、正の屈折力の第３レンズ群と、負の屈折力の第４レンズ群と、からなり、広角端から望遠端への変倍に際して、第１レンズ群と第２レンズ群との間隔が広がり、第２レンズ群と第３レンズ群との間隔は狭まり、第３レンズ群と第４レンズ群との間隔は変動し、以下の条件式（１）を満足することを特徴とする。
０．６５＜β2t／β3t＜５      （１）
ここで、
β2tは、望遠端における第２レンズ群の倍率、
β3tは、望遠端における第３レンズ群の倍率、
であって、いずれも、無限遠物点に合焦した時の倍率、
である。
【００２３】
本実施形態のズームレンズでは、広角端から望遠端への変倍に際して、各レンズ群の間隔を変化させている。具体的には、第１レンズ群と第２レンズ群との間隔は広がり、第２レンズ群と第３レンズ群との間隔は狭まる。このようにすることで、第２レンズ群と第３レンズ群に、変倍の負担割合を多く持たせている。このように、本実施形態のズームレンズでは、ズームレンズ全系の変倍比に寄与するレンズ群が、主に第２レンズ群と第３レンズ群になっている。
【００２４】
加えて、第３レンズ群と第４レンズ群の間隔を変化させている。このようにすることで、小型な光学系でありながら、各種の収差がバランス良く補正され、なお且つ、各レンズ群の移動量がバランスのとれた量になる。上記のような各レンズ群の間隔の変化は、大きな変倍比の確保に有利となる。
【００２５】
また、第３レンズ群には、変倍の負担割合を持たせているが、これ以外に、収差補正機能、特に、軸上収差を補正する機能を持たせている。第３レンズ群では、軸外光線の高さが低い。そのため、第３レンズ群におけるレンズ構成は、第３レンズ群自体で発生する軸外収差にも影響を及ぼすものの、その影響は少ない。すなわち、第３レンズ群自体で発生する軸外収差の発生量がもともと少なく、第３レンズ群のレンズ構成の違いによって軸外収差が変化しても、その変化量も少ないので、像の周辺部における結像性能が大きく劣化することがない。そのため、第３レンズ群におけるレンズ構成を、比較的自由にすることができる。
【００２６】
また、第４レンズ群の屈折力を負の屈折力にしている。このようにすることは、広角端での倍率色収差の補正に有利となる。
【００２７】
そして、本実施形態のズームレンズは、以下の条件式（１）を満足する。
０．６５＜β2t／β3t＜５      （１）
ここで、
β2tは、望遠端における第２レンズ群の倍率、
β3tは、望遠端における第３レンズ群の倍率、
であって、いずれも、無限遠物点に合焦した時の倍率、
である。
【００２８】
条件式（１）は、第２レンズ群の倍率と第３レンズ群の倍率の比を規定した条件式である。なお、各々の倍率は、いずれも、望遠端において無限遠物点に合焦した時の倍率である。
【００２９】
条件式（１）の下限値を上回ることで、第２レンズ群における変倍の負担割合が小さくなりすぎない。この場合、第２レンズ群の移動量を小さくできるので、望遠端での光学系の全長が長くならない。また、第１レンズ群と第２レンズ群の移動量が大きくなりすぎないため、第１レンズ群や第２レンズ群の径が大きくならず、各レンズ群の全長も長くならない。そのため、広角端での歪曲収差や望遠端での軸上色収差について、光学系全体での補正が容易になる。
【００３０】
条件式（１）の上限値を下回ることで、第３レンズ群以降のレンズ群における合成倍率が小さくなりすぎない。この場合、第３レンズ群以降のレンズ群を、より物体側に位置させることができる。その結果、適切な長さのバックフォーカスが確保できるので、光学フィルター等を配置できる。また、第２レンズ群における変倍の負担割合が大きくなりすぎない。そのため、第１レンズ群で発生する収差が、第２レンズ群で大きく拡大されない。その結果、特に、光学系全体での色収差の補正が容易になる。
【００３１】
なお、条件式（１）に代えて、以下の条件式（１’）を満足すると良い。
０．６５＜β2t／β3t＜４      （１’）
さらに、条件式（１）に代えて、以下の条件式（１’’）を満足するとなお良い。
０．７＜β2t／β3t＜３      （１’’）
【００３２】
また、第１実施形態のズームレンズと第２実施形態のズームレンズ（以下、適宜、本実施形態のズームレンズとする）は、以下の条件式（２）を満足することが好ましい。
０．４８＜β2w／β3w＜２      （２）
ここで、
β2wは、広角端における第２レンズ群の倍率、
β3wは、広角端における第３レンズ群の倍率、
であって、いずれも、無限遠物点に合焦した時の倍率、
である。
【００３３】
条件式（２）は、第２レンズ群の倍率と第３レンズ群の倍率の比を規定した条件式である。なお、各々の倍率は、いずれも、広角端において無限遠物点に合焦した時の倍率である。
【００３４】
条件式（２）の下限値を上回ることで、第２レンズ群における変倍の負担割合が小さくなりすぎない。この場合、第２レンズ群の移動量を小さくできるので、望遠端での光学系の全長が長くならない。そのため、ペッツバール和、歪曲収差及び倍率色収差について、光学系全体での補正が容易になる。
【００３５】
条件式（２）の上限値を下回ることで、第３レンズ群以降のレンズ群における合成倍率が小さくなりすぎない。この場合、第３レンズ群以降のレンズ群を、より物体側に位置させることができる。その結果、適切な長さのバックフォーカスが確保できるので、光学フィルター等を配置できる。
【００３６】
なお、条件式（２）に代えて、以下の条件式（２’）を満足すると良い。
０．５＜β2w／β3w＜１．８      （２’）
さらに、条件式（２）に代えて、以下の条件式（２’’）を満足するとなお良い。
０．５５＜β2w／β3w＜１．６      （２’’）
【００３７】
また、本実施形態のズームレンズは、以下の条件式（３）を満足することが好ましい。
３＜β2t／β2w＜７      （３）
ここで、
β2tは、望遠端における第２レンズ群の倍率、
β2wは、広角端における第２レンズ群の倍率、
であって、いずれも、無限遠物点に合焦した時の倍率、
である。
【００３８】
条件式（３）は、第２レンズ群の変倍比を規定した条件式である。なお、各々の倍率は、いずれも、無限遠物点に合焦した時の倍率である。
【００３９】
条件式（３）の下限値を上回ることで、光学系全体での変倍比を大きく確保することが容易になる。
【００４０】
条件式（３）の上限値を下回ることで、第１レンズ群や第２レンズ群の移動量が大きくなりすぎない。そのため、第１レンズ群や第２レンズ群の径が大きくならず、また、光学系全体の全長が長くならない。そのため、広角端での歪曲収差や倍率色収差、望遠端での軸上色収差について、光学系全体での補正が容易になる。
【００４１】
なお、条件式（３）に代えて、以下の条件式（３’）を満足すると良い。
３．１＜β2t／β2w＜６      （３’）
さらに、条件式（３）に代えて、以下の条件式（３’’）を満足するとなお良い。
３．２＜β2t／β2w＜５      （３’’）
【００４２】
また、本実施形態のズームレンズは、以下の条件式（４）を満足することが好ましい。
−１．９＜β2t＜−０．７５      （４）
β2tは、望遠端における第２レンズ群の倍率であって、無限遠物点に合焦した時の倍率、
である。
【００４３】
条件式（４）は、望遠端における第２レンズ群の倍率を規定した条件式である。なお、この倍率は、無限遠物点に合焦した時の倍率である。
【００４４】
条件式（４）の下限値を上回ることで、第３レンズ群以降のレンズ群における合成倍率が小さくなりすぎない。この場合、第３レンズ群以降のレンズ群を、より物体側に位置させることができる。その結果、適切な長さのバックフォーカスが確保できるので、光学フィルター等を配置できる。
【００４５】
条件式（４）の上限値を下回ることで、第２レンズ群における変倍の負担割合が小さくなりすぎない。この場合、第２レンズ群の移動量を小さくできるので、望遠端での光学系の全長が長くならない。そのため、ペッツバール和が大きくならない。
【００４６】
なお、条件式（４）に代えて、以下の条件式（４’）を満足すると良い。
−１．８＜β2t＜−０．８      （４’）
さらに、条件式（４）に代えて、以下の条件式（４’’）を満足するとなお良い。
−１．７＜β2t＜−０．９      （４’’）
【００４７】
また、本実施形態のズームレンズは、以下の条件式（５）を満足することが好ましい。
０．８＜ＴＬt／ｆt＜１．５      （５）
ここで、
ＴＬtは、望遠端におけるズームレンズ全系の全長であって、無限遠物点に合焦した時の全長、
ｆtは、望遠端におけるズームレンズ全系の焦点距離、
である。
【００４８】
条件式（５）は、ズームレンズ全系の全長とズームレンズ全系の焦点距離の比を規定した条件式である。なお、全長と焦点距離は、いずれも、望遠端における長さであって、全長は、限遠物点に合焦した時の全長である。なお、ＴＬtは空気換算をしていない距離である。
【００４９】
条件式（５）の下限値を上回ることで、高い光学性能の確保が容易になる。特に、望遠端での色収差が良好に補正できる。
【００５０】
条件式（５）の上限値を下回ることで、望遠端における光学系の全長が長くなりすぎない。そのため、光学系の小型化ができる。
【００５１】
なお、条件式（５）に代えて、以下の条件式（５’）を満足すると良い。
０．８＜ＴＬt／ｆt＜１．４      （５’）
さらに、条件式（５）に代えて、以下の条件式（５’’）を満足するとなお良い。
０．９＜ＴＬt／ｆt＜１．４      （５’’）
【００５２】
また、本実施形態のズームレンズは、以下の条件式（６）を満足することが好ましい。
０．３＜ｆ1／ｆt＜１．０      （６）
ここで、
ｆ1は、第１レンズ群の焦点距離、
ｆtは、望遠端におけるズームレンズ全系の焦点距離、
である。
【００５３】
条件式（６）は、第１レンズ群の焦点距離と望遠端におけるズームレンズ全系の焦点距離の比を規定した条件式である。
【００５４】
条件式（６）の下限値を上回ることで、望遠端における色収差について、光学系全体での補正が容易になる。その結果、高い光学性能を確保できる。
【００５５】
条件式（６）の上限値を下回ることで、歪曲収差や色収差について、光学系全体での補正が容易になる。その結果、高い光学性能を確保できる。
【００５６】
なお、条件式（６）に代えて、以下の条件式（６’）を満足すると良い。
０．３＜ｆ1／ｆt＜０．８      （６’）
さらに、条件式（６）に代えて、以下の条件式（６’’）を満足するとなお良い。
０．３＜ｆ1／ｆt＜０．６      （６’’）
【００５７】
また、本実施形態のズームレンズは、以下の条件式（７）を満足することが好ましい。
１．４＜β4w＜３      （７）
ここで、
β4wは、広角端における第４レンズ群の倍率であって、無限遠物点に合焦した時の倍率、
である。
【００５８】
条件式（７）は、広角端における第４レンズ群の倍率を規定した条件式である。なお、この倍率は、無限遠物点に合焦した時の倍率である。
【００５９】
条件式（７）の下限値を上回ることで、第４レンズ群における変倍の負担割合が、広角端で小さくなりすぎない。その結果、光学系全体での色収差の発生が抑えられるので、高い光学性能が確保できる。
【００６０】
条件式（７）の上限値を下回ることで、第４レンズ群における変倍の負担割合が、広角端で大きくなりすぎない。その結果、光学系全体でのコマ収差の発生が抑えられるので、高い光学性能が確保できる。
【００６１】
なお、条件式（７）に代えて、以下の条件式（７’）を満足すると良い。
１．５＜β4w＜２．５      （７’）
さらに、条件式（７）に代えて、以下の条件式（７’’）を満足するとなお良い。
１．６＜β4w＜２      （７’’）
【００６２】
また、本実施形態のズームレンズは、第２レンズ群の最も像面側から第３レンズ群の最も像面側の間に明るさ絞りを有し、明るさ絞りは、第３レンズ群と共に移動することが好ましい。
【００６３】
明るさ絞りを第３レンズ群と一体にすることで、軸外光線が第３レンズ群を通過するときの高さを低く抑えられる。そのため、第３レンズ群をコンパクトに構成できる。また、コマ収差の補正について、光学系全体での補正が容易になる。
【００６４】
また、本実施形態のズームレンズは、以下の条件式（８）を満足することが好ましい。
０．７７＜｜Δ23／Δ12｜＜２．５      （８）
ここで、
Δ12＝Ｄ12W−Ｄ12T、Δ23＝Ｄ23W−Ｄ23Tであって、
Ｄ12Wは、広角端における第１レンズ群と第２レンズ群の間隔、
Ｄ12Tは、望遠端における第１レンズ群と第２レンズ群の間隔、
Ｄ23Wは、広角端における第２レンズ群と第３レンズ群の間隔、
Ｄ23Tは、望遠端における第２レンズ群と第３レンズ群の間隔、
である。
【００６５】
条件式（８）は、第１レンズ群と第２レンズ群の間隔の変化量と、第２レンズ群と第３レンズ群の間隔に変化量の比を規定する条件式である。なお、間隔の変化量は、広角端における間隔と、望遠端における間隔とから求める。
【００６６】
条件式（８）の上限値を下回ることで、第１レンズ群よりも物体側にある入射瞳の位置が、広角端において第１レンズ群から離れすぎない。その結果、第１レンズ群と第２レンズ群を通る軸外光線高が高くならないので、光学系全体での歪曲収差の発生量が増加しない。また、条件式（８）の上限値を下回ることは、光学系の小型化と広画角化に有利となる。
【００６７】
条件式（８）の下限値を上回ることで、第２レンズ群における変倍の負担割合が、少なくなりすぎない。そのため、光学系の全長を長くすることなく、第２レンズ群における変倍比を適切に確保できる。
【００６８】
なお、条件式（８）に代えて、以下の条件式（８’）を満足すると良い。
０．８＜｜Δ23／Δ12｜＜２．０      （８’）
さらに、条件式（８）に代えて、以下の条件式（８’’）を満足するとなお良い。
０．９＜｜Δ23／Δ12｜＜１．５      （８’’）
【００６９】
また、本実施形態のズームレンズは、以下の条件式（９）を満足することが好ましい。
Ｄ3a_max／Ｄ3L-max＜１．２      （９）
ここで、
Ｄ3a_maxは、第３レンズ群における空気間隔のうち、最大の空気間隔、
Ｄ3L-maxは、第３レンズ群におけるレンズの厚みのうち、最大のレンズ厚み、
である。
【００７０】
条件式（９）は、第３レンズ群における最大空気間隔と第３レンズ群における最大レンズの厚さの比を規定した条件式である。条件式（９）を満足することで、第３レンズ群全体の厚みが増加しすぎない。そのため、光学系全体を小型化、薄型化できる。
【００７１】
なお、第３レンズ群における最大空気間隔は、各レンズの厚さよりも小さい方が好ましい。このようにすることで、第３レンズ群全体の厚みを、更に薄くできる。そのため、光学系全体を、いっそう小型化、薄型化できる。
【００７２】
なお、条件式（９）に代えて、以下の条件式（９’）を満足すると良い。
Ｄ3a_max／Ｄ3L-max＜１．１      （９’）
さらに、条件式（９）に代えて、以下の条件式（９’’）を満足するとなお良い。
Ｄ3a_max／Ｄ3L-max＜１．０      （９’’）
【００７３】
また、本実施形態のズームレンズは、以下の条件式（１０）を満足することが好ましい。
Ｄ4a_max／Ｄ4L-sum＜１．１      （１０）
ここで、
Ｄ4a_maxは、第４レンズ群における空気間隔のうち、最大の空気間隔、
Ｄ4L-sumは、第４レンズ群におけるレンズの厚み総和、
である。
【００７４】
条件式（１０）は、第４レンズ群における最大空気間隔と第４レンズ群におけるレンズ厚の総和の比を規定した条件式である。条件式（１０）を満足することで、第４レンズ群の外径が大きくなりすぎない。
【００７５】
なお、第４レンズ群における最大空気間隔は、第４レンズ群におけるレンズ厚の総和よりも小さい方が好ましい。このようにすることで、第４レンズ群全体の厚みを、更に薄くできる。そのため、光学系全体を、いっそう小型化、薄型化できる。
【００７６】
なお、条件式（１０）に代えて、以下の条件式（１０’）を満足すると良い。
Ｄ4a_max／Ｄ4L-sum＜１．０      （１０’）
さらに、条件式（１０）に代えて、以下の条件式（１０’’）を満足するとなお良い。
Ｄ4a_max／Ｄ4L-sum＜０．９      （１０’’）
【００７７】
また、本実施形態のズームレンズでは、第４レンズ群は、最も物体側に配置されたレンズと、最も像側に配置されたレンズと、を有し、以下の条件式（１１）を満足することが好ましい。
０．０１＜｜（ｒ4f＋ｒ4b）｜／｜（ｒ4f−ｒ4b）｜＜４．３５      （１１）
ここで、
ｒ4fは、最も物体側に配置されたレンズの物体側レンズ面の近軸曲率半径、
ｒ4bは、最も像側に配置されたレンズの像側レンズ面の近軸曲率半径、
である。
【００７８】
本実施形態のズームレンズでは、第４レンズ群は、最も物体側に配置されたレンズと、最も像側に配置されたレンズと、を有する。条件式（１１）は、最も物体側に配置されたレンズの物体側レンズ面と、最も像側に配置されたレンズの像側レンズ面に関する条件式である。
【００７９】
条件式（１１）の下限値を上回るか、上限値を下回ることで、球面収差やコマ収差について、光学系全体での補正が容易になる。その結果、高い光学性能を確保できる。
【００８０】
なお、条件式（１１）に代えて、以下の条件式（１１’）を満足すると良い。
０．０１＜｜（ｒ4f＋ｒ4b）｜／｜（ｒ4f−ｒ4b）｜＜４      （１１’）
さらに、条件式（１１）に代えて、以下の条件式（１１’’）を満足するとなお良い。
０．０１＜｜（ｒ4f＋ｒ4b）｜／｜（ｒ4f−ｒ4b）｜＜２      （１１’’）
【００８１】
また、本実施形態のズームレンズでは、第４レンズ群は、最も物体側に配置されたレンズを有し、以下の条件式（１２）を満足することが好ましい。
０．４＜｜（ｒ4ff＋ｒ4fb）｜／｜（ｒ4ff−ｒ4fb）｜＜２．２      （１２）
ここで、
ｒ4ffは、最も物体側に配置されたレンズの物体側レンズ面の近軸曲率半径、
ｒ4fbは、最も物体側に配置されたレンズの像側レンズ面の近軸曲率半径、
である。
【００８２】
本実施形態のズームレンズでは、第４レンズ群は、最も物体側に配置されたレンズを有する。条件式（１２）は、最も物体側に配置されたレンズのレンズ形状（レンズ面）に関する条件式である。
【００８３】
条件式（１２）の下限値を上回るか、上限値を下回ることで、球面収差や軸上色収差について、光学系全体での補正が容易になる。その結果、高い光学性能を確保できる。
【００８４】
なお、条件式（１２）に代えて、以下の条件式（１２’）を満足すると良い。
０．４＜｜（ｒ4ff＋ｒ4fb）｜／｜（ｒ4ff−ｒ4fb）｜＜２．０      （１２’）
さらに、条件式（１２）に代えて、以下の条件式（１２’’）を満足するとなお良い。
０．５＜｜（ｒ4ff＋ｒ4fb）｜／｜（ｒ4ff−ｒ4fb）｜＜１．７      （１２’’）
【００８５】
また、本実施形態のズームレンズでは、第４レンズ群は、最も像側に配置されたレンズを有し、以下の条件式（１３）を満足することが好ましい。
０．４＜｜（ｒ4lf＋ｒ4lb）｜／｜（ｒ4lf−ｒ4lb）｜＜７      （１３）
ここで、
ｒ4lfは、最も像側に配置されたレンズの物体側レンズ面の近軸曲率半径、
ｒ4lbは、最も像側に配置されたレンズの像側レンズ面の近軸曲率半径、
である。
【００８６】
本実施形態のズームレンズでは、第４レンズ群は、最も像側に配置されたレンズを有する。条件式（１３）は、最も像側に配置されたレンズのレンズ形状（レンズ面）に関する条件式である。
【００８７】
条件式（１３）の下限値を上回るか、上限値を下回ることで、広角端での歪曲収差や望遠側でのコマ収差について、光学系全体での補正が容易になる。その結果、高い光学性能を確保できる。
【００８８】
なお、条件式（１３）に代えて、以下の条件式（１３’）を満足すると良い。
０．７＜｜（ｒ4lf＋ｒ4lb）｜／｜（ｒ4lf−ｒ4lb）｜＜６      （１３’）
さらに、条件式（１３）に代えて、以下の条件式（１３’’）を満足するとなお良い。
１＜｜（ｒ4lf＋ｒ4lb）｜／｜（ｒ4lf−ｒ4lb）｜＜５      （１３’’）
【００８９】
また、本実施形態のズームレンズでは、第４レンズ群は、最も像側に配置されたレンズを有し、最も像側に配置されたレンズの像側レンズ面の形状は、像側に凹面を向けた形状であることが好ましい。
【００９０】
このようにすることで、像面湾曲やコマ収差について、光学系全体での補正が容易になる。その結果、高い光学性能を確保できる。
【００９１】
また、本実施形態のズームレンズでは、第２レンズ群は、最も物体側に配置されたレンズを有し、以下の条件式（１４）を満足することが好ましい。
０．５＜（ｒ2ff＋ｒ2fb）／（ｒ2ff−ｒ2fb）＜１．７      （１４）
ここで、
ｒ2ffは、第２レンズ群の最も物体側に配置されたレンズの物体側レンズ面の近軸曲率半径、
ｒ2fbは、第２レンズ群の最も物体側に配置されたレンズの像側レンズ面の近軸曲率半径、
である。
【００９２】
本実施形態のズームレンズでは、第２レンズ群は、最も物体側に配置されたレンズを有する。条件式（１４）は、最も物体側に配置されたレンズのレンズ形状（レンズ面）に関する条件式である。
【００９３】
条件式（１４）の下限値を上回ることで、第２レンズ群の屈折力が大きくなりすぎない。この場合、広角端において、負の歪曲収差が著しく発生することがない。その結果、高い光学性能を確保できる。
【００９４】
条件式（１４）の上限値を下回ることで、第２レンズ群の屈折力が小さくなりすぎない。そのため、光学系の広画角ができる。また、広角端での光学系の全長が長くならず、適切な量の周辺光量を確保しても、前玉径が大きくならない。
【００９５】
なお、条件式（１４）に代えて、以下の条件式（１４’）を満足すると良い。
０．６＜（ｒ2ff＋ｒ2fb）／（ｒ2ff−ｒ2fb）＜１．６８      （１４’）
さらに、条件式（１４）に代えて、以下の条件式（１４’’）を満足するとなお良い。
０．７＜（ｒ2ff＋ｒ2fb）／（ｒ2ff−ｒ2fb）＜１．６５      （１４’’）
【００９６】
また、本実施形態のズームレンズでは、第２レンズ群は、負の屈折力のレンズを少なくとも２つ有し、２つの負の屈折力のレンズは、物体側から順に、隣り合って配置されていることが好ましい。
【００９７】
広い画角と大きな変倍比を確保するためには、第２レンズ群の屈折力を大きくすることが効果的である。そこで、本実施形態のズームレンズでは、第２レンズ群におけるレンズ構成を、物体側から順に、負の屈折力のレンズ、負の屈折力のレンズ、としている。このようなレンズ構成を少なくとも有することで、第２レンズ群の屈折力を、２つのレンズに分担させることができる。
【００９８】
また、負の屈折力のレンズを最も物体側に配置した場合、このレンズのレンズ面の形状をゆるやかにできる。その結果、広角端において、光学系全体でのコマ収差の発生が抑えられるので、高い光学性能が確保できる。
【００９９】
また、本実施形態のズームレンズは、以下の条件式（１５）を満足することが好ましい。
−１．１＜ｆ2／ｆw＜−０．５      （１５）
ここで、
ｆ2は、第２レンズ群の焦点距離、
ｆwは、広角端におけるズームレンズ全系の焦点距離、
である。
【０１００】
条件式（１５）は、第２レンズ群の焦点距離と広角端におけるズームレンズ全系の焦点距離の比を規定した条件式である。
【０１０１】
条件式（１５）の下限値を上回ることは、収差補正の面で有利になる。
【０１０２】
条件式（１５）の上限値を下回ることで、ペッツバール和が大きく負にならない。その結果、像面湾曲が大きくならず、また、広角端における負の歪曲収差が増大しない。
【０１０３】
なお、条件式（１５）に代えて、以下の条件式（１５’）を満足すると良い。
−１．０＜ｆ2／ｆw＜−０．６      （１５’）
さらに、条件式（１５）に代えて、以下の条件式（１５’’）を満足するとなお良い。
−０．９＜ｆ2／ｆw＜−０．７      （１５’’）
【０１０４】
また、本実施形態のズームレンズは、以下の条件式（１６）を満足することが好ましい。
１．８＜ｎｄ2ave      （１６）
ここで、
ｎｄ2aveは、第２レンズ群のｄ線における屈折率の平均値、
である。
【０１０５】
第２レンズ群を構成するレンズには、屈折率が高い材料を用いることが好ましい。条件式（１６）を満足すると、第２レンズ群に負の屈折力のレンズを配置した場合に、このレンズ（レンズ面）の近軸曲率半径を大きくできる。そのため、第２レンズ群の光軸方向の厚さを薄くできる。また、第２レンズ群の厚みが薄くなることで、広角端において、第１レンズ群から開口絞りまでの距離を短くできる。その結果、前玉径を小さくできる。
【０１０６】
なお、条件式（１６）に代えて、以下の条件式（１６’）を満足すると良い。
１．８２＜ｎｄ2ave      （１６’）
さらに、条件式（１６）に代えて、以下の条件式（１６’’）を満足するとなお良い。
１．８７＜ｎｄ2ave      （１６’’）
【０１０７】
また、第２実施形態のズームレンズでは、広角端から望遠端への変倍に際して、第１レンズ群は、像側へ移動した後、物体側へ移動することが好ましい。
【０１０８】
第１レンズ群の移動方向を反転させることにより、光学系の小型化を達成できる。また、第１レンズ群の移動方向を反転させると、第１レンズ群を像側のみに移動させる場合に比べて、広角近傍において、第２レンズ群をより像側に位置させることができる。そうすることで、広角端において、第１レンズ群もより像側に位置させることができる。その結果、第１レンズ群の前玉を通過する軸外光線の高さを低くできるので、第１レンズ群の前玉径を小型にできる。そのため、歪曲収差や非点収差について、光学系全体での補正が容易に行える。
【０１０９】
また、第２実施形態のズームレンズでは、広角端から望遠端への変倍に際して、第２レンズ群の移動は、像側への移動と、その後の物体側への移動とを少なくとも含むことが好ましい。
【０１１０】
第２レンズ群を像側に移動させた後に、物体側に移動させること、すなわち、第２レンズ群の移動方向を反転させることにより、変倍途中での光学系の小型化と光学性能の向上を可能にしている。
【０１１１】
また、第２レンズ群の移動方向を反転させると、第２レンズ群を像側のみに移動させる場合に比べて、第２レンズ群の移動範囲を狭くできる。そのため、広角端において、第２レンズ群をより像側に位置させることができる。そうすることで、広角端において、第１レンズ群もより像側に位置させることができる。その結果、第１レンズ群の前玉を通過する軸外光線の高さを低くできるので、第１レンズ群の前玉径を小型にできる。そのため、歪曲収差や非点収差について、光学系全体での補正が容易に行える。
【０１１２】
また、第２レンズ群を像側へ移動範囲を狭くできるため、第２レンズ群と第３レンズ群との間の空間を広げることなく、第２レンズ群の変倍の負担割合を大きくできる。すなわち、第２レンズ群を、ズームレンズ全系の変倍比に大きく寄与するレンズ群の１つにできる。
【０１１３】
また、本実施形態のズームレンズでは、上記のように、広角端から望遠端への変倍に際して、各レンズ群の間隔を変化させている。各レンズ群の間隔を変化させるには、各レンズ群を光軸に沿って移動させれば良い。
【０１１４】
また、本実施形態の撮像装置は、上記のいずれかのズームレンズと、撮像面を有する撮像素子を備えることを特徴とする。このようにすることで、高い結像性能を有する小型で薄型のズームレンズを備えた撮像装置を実現できる。
【０１１５】
なお、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【０１１６】
以下に、本発明のある態様に係るズームレンズの実施例を、図面に基づいて詳細に説明する。なお、この実施例によりこの発明が限定されるものではない。また、屈折力の正、負は近軸曲率半径に基づく。
【０１１７】
なお、光学構成を示す光軸に沿う断面図は、５つの状態を図示している。中間焦点距離状態１は、広角端から中間焦点距離状態２までの間における１つの状態、中間焦点距離状態３は、中間焦点距離状態２から望遠端までの間における１つの状態である。また、収差図は、３つの状態を図示している。
【０１１８】
実施例１に係るズームレンズについて説明する。図１は実施例１に係るズームレンズの無限遠物点合焦時の光学構成を示す光軸に沿う断面図（レンズ断面図）であり、（ａ）は広角端、（ｂ）は中間焦点距離状態１、（ｃ）は中間焦点距離状態２、（ｄ）は中間焦点距離状態３、（ｅ）は望遠端での断面図である。なお、以下全ての実施例において、レンズ断面図中、Ｃはカバーガラス、Ｉは撮像素子の撮像面を示している。
【０１１９】
図２は実施例１にかかるズームレンズの無限遠物点合焦時における収差図であって、ωは半画角である。なお、収差図における記号は、後述の実施例においても共通である。
【０１２０】
また、これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示している。
【０１２１】
また、（ｅ）、（ｆ）、（ｇ）、（ｈ）は、それぞれ中間焦点距離状態２における球面収差（ＳＡ）、非点収差（ＡＳ）、歪曲収差（ＤＴ）、倍率色収差（ＣＣ）を示している。
【０１２２】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示している。
【０１２３】
実施例１のズームレンズは、図１に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは、第２レンズ群Ｇ２の最も像面側から第３レンズ群Ｇ３の最も像面側の間に配置されている。
【０１２４】
第１レンズ群Ｇ１は、物体側に凸面を向けた負メニスカスレンズＬ１と、両凸正レンズＬ２と、物体側に凸面を向けた正メニスカスレンズＬ３と、からなる。
【０１２５】
第２レンズ群Ｇ２は、物体側に凸面を向けた負メニスカスレンズＬ４と、物体側に凸面を向けた負メニスカスレンズＬ５と、両凸正レンズＬ６と、像側に凸面を向けた負メニスカスレンズＬ７と、からなる。
【０１２６】
第３レンズ群Ｇ３は、両凸正レンズＬ８と、両凸正レンズＬ９と、両凹負レンズＬ１０と、両凸正レンズＬ１１と、からなる。ここで、両凸正レンズＬ９と両凹負レンズＬ１０とが接合されている。また、開口絞りＳは、負メニスカスレンズＬ７と、両凸正レンズＬ８と、の間に配置されている。
【０１２７】
第４レンズ群Ｇ４は、両凹負レンズＬ１２と、物体側に凸面を向けた正メニスカスレンズＬ１３と、からなる。
【０１２８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１２９】
より詳細には、第１レンズ群Ｇ１は像側に移動した後、物体側へ移動する。第２レンズ群Ｇ２は像側へ移動した後、物体側へ移動する。第３レンズ群Ｇ３は物体側へ移動した後、像側へ移動し、更にその後、物体側に移動する。第４レンズ群Ｇ４は物体側に移動する。
【０１３０】
なお、第１レンズ群Ｇ１の像側への移動は、広角端から中間焦点距離状態１までの間である。また、第２レンズ群Ｇ２の像側への移動は、広角端から中間焦点距離状態３までの間である。また、第３レンズ群Ｇ３の物体側への移動は、広角端から中間焦点距離状態２までの間と、中間点距離状態３から望遠端までの間である。なお、第３レンズ群Ｇ３の像側への移動量は非常に微小な量である。
【０１３１】
非球面は、負メニスカスレンズＬ５の両面と、負メニスカスレンズＬ７の像側面と、両凸正レンズＬ８の両面と、両凸正レンズＬ１１の両面と、正メニスカスレンズＬ１３の両面と、の合計９面に設けられている。
【０１３２】
次に、実施例２に係るズームレンズについて説明する。図３は実施例２に係るズームレンズの無限遠物点合焦時の光学構成を示す光軸に沿う断面図、図４は実施例２に係るズームレンズの無限遠物点合焦時における収差図である。
【０１３３】
実施例２のズームレンズは、図３に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは、第２レンズ群Ｇ２の最も像面側から第３レンズ群Ｇ３の最も像面側の間に配置されている。
【０１３４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１３５】
第２レンズ群Ｇ２は、物体側に凸面を向けた負メニスカスレンズＬ４と、物体側に凸面を向けた負メニスカスレンズＬ５と、両凸正レンズＬ６と、両凹負レンズＬ７と、からなる。ここで、負メニスカスレンズＬ５と、両凸正レンズＬ６と、両凹負レンズＬ７とが接合されている。
【０１３６】
第３レンズ群Ｇ３は、両凸正レンズＬ８と、両凸正レンズＬ９と、両凹負レンズＬ１０と、両凸正レンズＬ１１と、からなる。ここで、両凸正レンズＬ９と両凹負レンズＬ１０とが接合されている。また、開口絞りＳは、両凹負レンズＬ７と、両凸正レンズＬ８と、の間に配置されている。
【０１３７】
第４レンズ群Ｇ４は、両凹負レンズＬ１２と、物体側に凸面を向けた正メニスカスレンズＬ１３と、からなる。
【０１３８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１３９】
より詳細には、第１レンズ群Ｇ１は像側に移動した後、物体側へ移動する。第２レンズ群Ｇ２は像側へ移動した後、物体側へ移動する。第３レンズ群Ｇ３は物体側へ移動する。第４レンズ群Ｇ４は物体側に移動した後、像側へ移動し、更にその後、物体側に移動する。
【０１４０】
なお、第１レンズ群Ｇ１の像側への移動は、広角端から中間焦点距離状態１までの間である。また、第２レンズ群Ｇ２の像側への移動は、広角端から中間焦点距離状態３での間である。また、第４レンズ群Ｇ４の物体側への移動は、広角端から中間焦点距離状態１までの間と、中間焦点距離状態３から望遠端までの間である。
【０１４１】
非球面は、負メニスカスレンズＬ５の物体側面と、両凹負レンズＬ７の像側面と、両凸正レンズＬ８の物体側面と、両凸正レンズＬ１１の像側面と、正メニスカスレンズＬ１３の物体側面と、の合計５面に設けられている。
【０１４２】
次に、実施例３に係るズームレンズについて説明する。図５は実施例３に係るズームレンズの無限遠物点合焦時の光学構成を示す光軸に沿う断面図、図６は実施例３に係るズームレンズの無限遠物点合焦時における収差図である。
【０１４３】
実施例３のズームレンズは、図５に示すように物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは、第２レンズ群Ｇ２の最も像面側から第３レンズ群Ｇ３の最も像面側の間に配置されている。
【０１４４】
第１レンズ群Ｇ１は、物体側に凸面を向けた負メニスカスレンズＬ１と、両凸正レンズＬ２と、物体側に凸面を向けた正メニスカスレンズＬ３と、からなる。
【０１４５】
第２レンズ群Ｇ２は、両凹負レンズＬ４と、像側に凸面を向けた負メニスカスレンズＬ５と、両凸正レンズＬ６と、からなる。
【０１４６】
第３レンズ群Ｇ３は、両凸正レンズＬ７と、物体側に凸面を向けた負メニスカスレンズＬ８と、両凸正レンズＬ９と、からなる。ここで、負メニスカスレンズＬ８と両凸正レンズＬ９とが接合されている。また、開口絞りＳは、両凸正レンズＬ６と、両凸正レンズＬ７と、の間に配置されている。
【０１４７】
第４レンズ群Ｇ４は、両凹負レンズＬ１０と、物体側に凸面を向けた正メニスカスレンズＬ１１と、からなる。
【０１４８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１４９】
より詳細には、第１レンズ群Ｇ１は像側に移動した後、物体側へ移動する。第２レンズ群Ｇ２は像側へ移動した後、物体側へ移動する。第３レンズ群Ｇ３は物体側へ移動する。第４レンズ群Ｇ４は物体側に移動する。
【０１５０】
なお、第１レンズ群Ｇ１の像側への移動は、広角端から中間焦点距離状態１までの間である。また、第２レンズ群Ｇ２の像側への移動は、広角端から中間焦点距離状態３までの間である。なお、第３レンズ群Ｇ３の物体側への移動のうち、中間焦点距離状態２から中間点距離状態３までの移動量は非常に微小な量である。
【０１５１】
非球面は、両凹負レンズＬ４の両面と、負メニスカスレンズＬ５の両面と、両凸正レンズＬ７の両面と、両凸正レンズＬ９の像側面と、正メニスカスレンズＬ１１の両面と、の合計９面に設けられている。
【０１５２】
次に、実施例４に係るズームレンズについて説明する。図７は実施例４に係るズームレンズの無限遠物点合焦時の光学構成を示す光軸に沿う断面図、図８は実施例４に係るズームレンズの無限遠物点合焦時における収差図である。
【０１５３】
実施例４のズームレンズは、図７に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは、第２レンズ群Ｇ２の最も像面側から第３レンズ群Ｇ３の最も像面側の間に配置されている。
【０１５４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１５５】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１５６】
第３レンズ群Ｇ３は、両凸正レンズＬ８と、物体側に凸面を向けた負メニスカスレンズＬ９と、両凸正レンズＬ１０と、からなる。ここで、負メニスカスレンズＬ９と両凸正レンズＬ１０とが接合されている。また、開口絞りＳは、負メニスカスレンズＬ７と、両凸正レンズＬ８と、の間に配置されている。
【０１５７】
第４レンズ群Ｇ４は、両凹負レンズＬ１１と、物体側に凸面を向けた正メニスカスレンズＬ１２と、からなる。
【０１５８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１５９】
より詳細には、第１レンズ群Ｇ１は像側に移動した後、物体側へ移動する。第２レンズ群Ｇ２は像側へ移動した後、物体側へ移動する。第３レンズ群Ｇ３は物体側へ移動した後、像側へ移動し、更にその後、物体側へ移動する。第４レンズ群Ｇ４は物体側へ移動した後、像側へ移動し、更にその後、物体側へ移動する。
【０１６０】
なお、第１レンズ群Ｇ１の像側への移動は、広角端から中間焦点距離状態１までの間である。また、第２レンズ群Ｇ２の像側への移動は、広角端から中間焦点距離状態３までの間である。また、第３レンズ群Ｇ３の物体側への移動は、広角端から中間焦点距離状態１までの間と、中間焦点距離状態２から望遠端までの間である。また、第４レンズ群Ｇ４の物体側への移動は、広角端から中間焦点距離状態１までの間と、中間焦点距離状態２から望遠端までの間である。
【０１６１】
非球面は、負メニスカスレンズＬ５の両面と、両凸正レンズＬ８の両面と、正メニスカスレンズＬ１２の両面と、の合計６面に設けられている。
【０１６２】
次に、実施例５に係るズームレンズについて説明する。図９は実施例５に係るズームレンズの無限遠物点合焦時の光学構成を示す光軸に沿う断面図、図１０は実施例５に係るズームレンズの無限遠物点合焦時における収差図である。
【０１６３】
実施例５のズームレンズは、図９に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは第３レンズ群Ｇ３中に配置されている。
【０１６４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１６５】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１６６】
第３レンズ群Ｇ３は、両凸正レンズＬ８と、物体側に凸面を向けた負メニスカスレンズＬ９と、両凸正レンズＬ１０と、からなる。ここで、負メニスカスレンズＬ９と両凸正レンズＬ１０とが接合されている。また、開口絞りＳは、両凸正レンズＬ８と、負メニスカスレンズＬ９と、の間に配置されている。
【０１６７】
第４レンズ群Ｇ４は、物体側に凸面を向けた負メニスカスレンズＬ１１と、物体側に凸面を向けた負メニスカスレンズＬ１２と、からなる。
【０１６８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１６９】
より詳細には、第１レンズ群Ｇ１は像側に移動した後、物体側へ移動する。第２レンズ群Ｇ２は像側へ移動した後、物体側へ移動する。第３レンズ群Ｇ３は物体側へ移動した後、像側へ移動し、更にその後、物体側に移動する。第４レンズ群Ｇ４は物体側へ移動した後、像側へ移動し、更にその後、物体側へ移動する。
【０１７０】
なお、第１レンズ群Ｇ１の像側への移動は、広角端から中間焦点距離状態１までの間である。また、第２レンズ群Ｇ２の像側への移動は、広角端から中間焦点距離状態３までの間である。また、第３レンズ群Ｇ３の物体側への移動は、広角端から中間焦点距離状態２までの間と、中間点距離状態３から望遠端までの間である。なお、第３レンズ群Ｇ３の像側への移動量は非常に微小な量である。また、第４レンズ群Ｇ４の物体側への移動は、広角端から中間焦点距離状態１までの間と、中間焦点距離状態３から望遠端までの間である。
【０１７１】
非球面は、両凹負レンズＬ５の両面と、両凸正レンズＬ８の両面と、負メニスカスレンズＬ１２の両面と、の合計６面に設けられている。
【０１７２】
次に、実施例６に係るズームレンズについて説明する。図１１は実施例６に係るズームレンズの無限遠物点合焦時の光学構成を示す光軸に沿う断面図、図１２は実施例６に係るズームレンズの無限遠物点合焦時における収差図である。
【０１７３】
実施例６のズームレンズは、図１１に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは、第２レンズ群Ｇ２の最も像面側から第３レンズ群Ｇ３の最も像面側の間に配置されている。
【０１７４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１７５】
第２レンズ群Ｇ２は、物体側に凸面を向けた負メニスカスレンズＬ４と、両凹負レンズＬ５と、像側に凸面を向けた正メニスカスレンズＬ６と、像側に凸面を向けた負メニスカスレンズＬ７と、からなる。
【０１７６】
第３レンズ群Ｇ３は、両凸正レンズＬ８と、両凸正レンズＬ９と、両凹負レンズＬ１０と、両凸正レンズＬ１１と、からなる。ここで、両凸正レンズＬ９と両凹負レンズＬ１０とが接合されている。また、開口絞りＳは、負メニスカスレンズＬ７と、両凸正レンズＬ８と、の間に配置されている。
【０１７７】
第４レンズ群Ｇ４は、両凹負レンズＬ１２と、物体側に凸面を向けた正メニスカスレンズＬ１３と、からなる。
【０１７８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１７９】
より詳細には、第１レンズ群Ｇ１は像側に移動した後、物体側へ移動する。第２レンズ群Ｇ２は像側へ移動した後、物体側へ移動する。第３レンズ群Ｇ３は物体側へ移動する。第４レンズ群Ｇ４は物体側に移動する。
【０１８０】
なお、第１レンズ群Ｇ１の像側への移動は、広角端から中間焦点距離状態１までの間である。また、第２レンズ群Ｇ２の像側への移動は、広角端から中間焦点距離状態２までの間である。
【０１８１】
非球面は、両凹負レンズＬ５の両面と、負メニスカスレンズＬ７の像側面と、両凸正レンズＬ８の両面と、両凸正レンズＬ１１の両面と、正メニスカスレンズＬ１３の両面と、の合計９面に設けられている。
【０１８２】
次に、実施例７に係るズームレンズについて説明する。図１３は実施例７に係るズームレンズの無限遠物点合焦時の光学構成を示す光軸に沿う断面図、図１４は実施例７に係るズームレンズの無限遠物点合焦時における収差図である。
【０１８３】
実施例７のズームレンズは、図１３に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。また、開口絞りＳは、第２レンズ群Ｇ２の最も像面側から第３レンズ群Ｇ３の最も像面側の間に配置されている。
【０１８４】
第１レンズ群Ｇ１は、物体側に凸面を向けた負メニスカスレンズＬ１と、両凸正レンズＬ２と、物体側に凸面を向けた正メニスカスレンズＬ３と、からなる。ここで、負メニスカスレンズＬ１と両凸正レンズＬ２とが接合されている。
【０１８５】
第２レンズ群Ｇ２は、物体側に凸面を向けた負メニスカスレンズＬ４と、物体側に凸面を向けた負メニスカスレンズＬ５と、両凸正レンズＬ６と、像側に凸面を向けた負メニスカスレンズＬ７と、からなる。
【０１８６】
第３レンズ群Ｇ３は、両凸正レンズＬ８と、両凸正レンズＬ９と、両凹負レンズＬ１０と、両凸正レンズＬ１１と、からなる。ここで、両凸正レンズＬ９と両凹負レンズＬ１０とが接合されている。また、開口絞りＳは、負メニスカスレンズＬ７と、両凸正レンズＬ８と、の間に配置されている。
【０１８７】
第４レンズ群Ｇ４は、物体側に凸面を向けた負メニスカスレンズＬ１２と、物体側に凸面を向けた正メニスカスレンズＬ１３と、からなる。
【０１８８】
広角端から望遠端への変倍に際して、第１レンズ群Ｇ１と第２レンズ群Ｇ２との間隔が広がり、第２レンズ群Ｇ２と第３レンズ群Ｇ３との間隔は狭まり、第３レンズ群Ｇ３と第４レンズ群Ｇ４との間隔は変動する。開口絞りＳは、第３レンズ群Ｇ３と共に移動する。
【０１８９】
より詳細には、第１レンズ群Ｇ１は像側に移動した後、物体側へ移動する。第２レンズ群Ｇ２は像側へ移動した後、物体側へ移動し、更にその後、像側へ移動する。第３レンズ群Ｇ３は物体側へ移動する。第４レンズ群Ｇ４は像側に移動した後、物体側に移動する。
【０１９０】
なお、第１レンズ群Ｇ１の像側への移動は、広角端から中間焦点距離状態１までの間である。また、第２レンズ群Ｇ２の像側への移動は、広角端から中間焦点距離状態１までの間と、中間焦点距離状態３から望遠端までの間である。また、第４レンズ群Ｇ４の像側への移動は、広角端から中間焦点距離状態２までの間である。
【０１９１】
非球面は、負メニスカスレンズＬ５の両面と、負メニスカスレンズＬ７の像側面と、両凸正レンズＬ８の両面と、両凸正レンズＬ１１の両面と、正メニスカスレンズＬ１３の両面と、の合計９面に設けられている。
【０１９２】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッベ数、＊印は非球面である。また、ズームデータにおいて、中間１は中間焦点距離状態１、中間２は中間焦点距離状態２、中間３は中間焦点距離状態３、焦点距離はズームレンズ全系の焦点距離、ＦＮＯ．はＦナンバー、ωは半画角、ｆｂはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。
【０１９３】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０１９４】
数値実施例１
単位ｍｍ
面データ
面番号       r           d        nd        νd
物面        ∞           ∞
1         72.032       1.10     2.00069    25.46
2         41.649       0.11
3         41.520       4.81     1.49700    81.61
4       -351.575       0.10
5         27.472       3.78     1.72916    54.68
6         80.000       （可変）
7        155.813       0.90     1.91082    35.25
8         10.390       5.05
9*       330.772       0.80     1.85135    40.10
10*        26.166       0.62
11         42.148       2.40     1.95906    17.47
12        -47.963       0.33
13        -45.405       0.80     1.85135    40.10
14*      -176.808       （可変）
15（絞り）  ∞          1.00
16*         8.128       3.32     1.58313    59.38
17*       -53.435       0.22
18         26.421       1.44     1.49700    81.61
19        -45.343       0.80     1.88300    40.76
20          7.739       1.12
21*        10.233       3.65     1.49700    81.61
22*       -12.827       （可変）
23       -262.263       0.80     1.74100    52.64
24         11.953       1.23
25*        11.852       1.46     1.52542    55.78
26*        19.596       （可変）
27          ∞          2.66     1.51633    64.14
28          ∞          1.00
像面（撮像面）∞
非球面データ
第９面
k=0.000
A4=-3.12993e-04,A6=2.62518e-06,A8=-2.13001e-08,A10=5.04146e-11
第１０面
k=0.000
A4=-2.93713e-04,A6=3.06900e-06,A8=-2.67107e-08,A10=1.05948e-10
第１４面
k=0.000
A4=-5.27708e-05,A6=8.61739e-08
第１６面
k=-0.635
A4=6.37055e-05,A6=5.99251e-07,A8=8.04546e-09
第１７面
k=0.000
A4=1.39205e-04,A6=-9.24474e-07
第２１面
k=0.000
A4=-5.47595e-05,A6=-4.65279e-07,A8=6.94184e-09
第２２面
k=0.000
A4=8.98292e-05,A6=2.54410e-07,A8=2.15866e-08
第２５面
k=0.000
A4=-1.98813e-05,A6=-1.62526e-07,A8=-4.76192e-09
第２６面
k=0.000
A4=-3.44458e-05,A6=1.54369e-07
ズームデータ
ズーム比       6.87
広角端     中間１    中間２    中間３    望遠端
焦点距離      14.24     23.01     37.51     60.46     97.85
ＦＮＯ．       3.92      4.71      5.19      5.16      6.42
画角２ω      85.706    52.466    32.317    20.150    12.644
像高          11.15     11.15     11.15     11.15     11.15
ｆｂ(in air)  18.06     22.90     24.01     24.41     37.54
全長(in air)  82.71     80.71     82.62     87.25     99.08
d6          0.50      3.09      9.54     18.02     21.80
d14         24.72     14.59      7.47      3.61      1.50
d22          3.60      4.30      5.77      5.37      2.40
d26         15.29     20.12     21.21     21.60     34.79
各群焦点距離
f1=47.34    f2=-12.42     f3=15.05    f4=-21.56
【０１９５】
数値実施例２
単位ｍｍ
面データ
面番号       r           d        nd        νd
物面        ∞           ∞
1         38.008       1.40     1.84666    23.78
2         28.779       0.10
3         28.768       7.64     1.49700    81.61
4        256.188       0.10
5         35.694       3.26     1.64000    60.08
6        100.342      （可変）
7        128.319       0.80     1.91082    35.25
8         11.417       5.40
9*       282.386       0.90     1.85135    40.10
10         95.936       2.71     1.94595    17.98
11        -26.560       0.80     1.86400    40.58
12*        64.586      （可変）
13（絞り）  ∞          1.00
14*        10.591       4.09     1.58313    59.38
15        -84.334       2.54
16         19.558       1.75     1.49700    81.61
17        -21.089       0.80     1.90366    31.32
18         10.407       1.38
19         13.255       2.14     1.80610    40.92
20*       -42.056      （可変）
21      -2099.168       0.80     1.69680    55.53
22         13.743       2.00
23*        18.865       1.62     1.52542    55.78
24         64.303      （可変）
25          ∞          2.66     1.51633    64.14
26          ∞          1.00
像面（撮像面）∞
非球面データ
第９面
k=0.000
A4=-1.09530e-04,A6=-2.91177e-07,A8=5.65193e-10
第１２面
k=0.000
A4=-1.29027e-04,A6=-5.97794e-08,A8=1.59623e-09
第１４面
k=-0.399
A4=-1.13338e-05,A6=2.04570e-07,A8=-3.24281e-09
第２０面
k=0.000
A4=9.21418e-05,A6=4.18410e-07,A8=2.17524e-09
第２３面
k=0.000
A4=2.08035e-05,A6=-1.68061e-08,A8=-5.09840e-10
ズームデータ
ズーム比       6.90
広角端     中間１    中間２    中間３    望遠端
焦点距離      14.91     23.85     38.75     62.60    102.85
ＦＮＯ．       5.00      5.77      6.00      6.14      6.42
画角２ω      82.795    51.221    31.402    19.474    11.941
像高          11.15     11.15     11.15     11.15     11.15
ｆｂ(in air)  20.24     23.56     21.82     21.48     30.05
全長(in air)  91.35     88.81     90.39     92.66     99.10
d6          0.50      3.68     11.24     18.08     24.32
d12         27.37     16.79      9.82      4.51      1.50
d20          2.00      3.56      6.28      7.36      2.00
d24         17.47     20.78     19.04     18.71     27.27
各群焦点距離
f1=51.00    f2=-12.08     f3=16.64    f4=-33.87
【０１９６】
数値実施例３
単位ｍｍ
面データ
面番号       r           d        nd        νd
物面        ∞           ∞
1         74.811       1.10     2.00069    25.46
2         42.114       0.10
3         41.822       4.69     1.49700    81.61
4       -367.693       0.10
5         26.766       3.77     1.72916    54.68
6         80.000      （可変）
7*      -174.338       0.70     1.86400    40.58
8*        12.281       6.54
9*       -18.021       0.70     1.86400    40.58
10*      -179.626       0.10
11         39.689       2.19     1.95906    17.47
12        -71.059      （可変）
13（絞り）  ∞          1.00
14*         9.232       3.49     1.59201    67.02
15*       -69.210       1.19
16         79.460       0.70     1.88300    40.76
17          6.927       4.47     1.55332    71.68
18*       -13.308      （可変）
19        -69.413       0.70     1.64000    60.08
20         10.866       1.95
21*        14.000       1.25     1.52542    55.78
22*        22.894      （可変）
23          ∞          2.66     1.51633    64.14
24          ∞          1.00
像面（撮像面）∞
非球面データ
第７面
k=0.000
A4=5.89010e-05,A6=-2.19487e-07,A8=5.14664e-10
第８面
k=0.000
A4=7.65701e-06,A6=2.86534e-07,A8=-1.20402e-09
第９面
k=0.000
A4=-8.96556e-05,A6=6.07946e-07
第１０面
k=0.000
A4=-4.04053e-05,A6=7.63189e-07
第１４面
k=-0.625
A4=5.87400e-05,A6=5.05523e-07,A8=1.14858e-08
第１５面
k=0.000
A4=1.88528e-04,A6=-4.65834e-07
第１８面
k=0.000
A4=4.50775e-05,A6=3.33490e-07
第２１面
k=0.000
A4=2.57676e-06,A6=8.80700e-08
第２２面
k=0.000
A4=-5.00000e-05,A6=-7.00000e-08
ズームデータ
ズーム比       6.88
広角端     中間１    中間２    中間３    望遠端
焦点距離      14.60     23.58     38.19     61.84    100.45
ＦＮＯ．       4.01      4.99      5.33      5.29      6.42
画角２ω      84.029    51.812    31.818    19.708    12.338
像高          11.15     11.15     11.15     11.15     11.15
ｆｂ(in air)  18.55     24.63     24.76     25.36     39.54
全長(in air)  82.66     78.49     79.77     85.47     99.08
d6          0.50      1.00      7.91     17.09     20.90
d12         25.46     14.00      6.68      3.21      1.50
d18          3.41      4.12      5.67      5.07      2.40
d22         15.80     21.88     22.00     22.61     36.79
各群焦点距離
f1=46.63    f2=-12.62     f3=14.23    f4=-19.14
【０１９７】
数値実施例４
単位ｍｍ
面データ
面番号       r           d        nd        νd
物面        ∞           ∞
1         64.000       1.20     2.00069    25.46
2         34.022       0.30
3         35.477       3.76     1.72916    54.68
4        149.743       0.10
5         28.699       3.64     1.72916    54.68
6         97.637      （可変）
7         41.795       0.90     2.00330    28.27
8         10.247       5.26
9*       -22.715       0.80     1.85135    40.10
10*       198.558       0.11
11         31.900       2.83     1.94595    17.98
12        -27.035       0.60
13        -19.811       0.80     1.88300    40.76
14       -128.044      （可変）
15（絞り）  ∞          1.00
16*        10.460       2.60     1.58313    59.38
17*       -37.577       2.27
18         48.553       0.80     1.91082    35.25
19          7.732       3.82     1.49700    81.61
20        -18.209      （可変）
21        -59.599       0.80     1.49700    81.61
22         12.676       1.30
23*        18.368       1.80     1.52542    55.78
24*        58.363      （可変）
25          ∞          2.66     1.51633    64.14
26          ∞          1.00
像面（撮像面）∞
非球面データ
第９面
k=0.000
A4=-1.47793e-04,A6=1.08021e-06,A8=7.44511e-09,A10=-8.50234e-11
第１０面
k=0.000
A4=-1.39618e-04,A6=1.47173e-06,A8=2.74729e-09,A10=-5.56801e-11
第１６面
k=-0.234
A4=-4.39040e-05,A6=1.99715e-07,A8=1.37060e-09
第１７面
k=0.000
A4=8.90177e-05,A6=4.69065e-08
第２３面
k=0.000
A4=4.76840e-05,A6=1.55434e-07,A8=2.90532e-09
第２４面
k=0.000
A4=2.00000e-05,A6=-2.00000e-09
ズームデータ
ズーム比       6.90
広角端     中間１    中間２    中間３    望遠端
焦点距離      14.63     23.41     38.05     61.46    100.97
ＦＮＯ．       4.55      5.44      5.36      5.52      6.42
画角２ω      83.672    52.176    31.826    19.824    12.217
像高          11.15     11.15     11.15     11.15     11.15
ｆｂ(in air)  25.10     27.05     19.41     19.56     32.25
全長(in air)  86.86     82.54     84.60     89.51     99.08
d6          0.50      1.46     11.32     18.90     23.56
d14         24.55     13.76      7.68      3.98      1.52
d20          2.00      5.56     11.50     12.38      7.04
d24         22.35     24.30     16.66     16.80     29.50
各群焦点距離
f1=49.59    f2=-10.83     f3=16.13    f4=-37.05
【０１９８】
数値実施例５
単位ｍｍ
面データ
面番号       r           d        nd        νd
物面        ∞           ∞
1         64.000       1.20     2.00069    25.46
2         33.967       0.19
3         34.396       4.39     1.72916    54.68
4        184.892       0.10
5         29.656       4.02     1.72916    54.68
6        101.538      （可変）
7         88.013       0.90     2.00330    28.27
8         10.850       5.56
9*       -29.270       0.80     1.85135    40.10
10*        93.479       0.28
11         29.867       3.43     1.94595    17.98
12        -32.003       0.93
13        -20.444       0.80     1.88300    40.76
14        -99.281      （可変）
15*        12.424       3.21     1.58313    59.38
16*       -38.680       1.50
17（絞り）  ∞          1.50
18        100.000       0.80     1.91082    35.25
19          9.831       3.59     1.49700    81.61
20        -14.656      （可変）
21        244.294       0.80     1.49700    81.61
22         27.928       0.82
23*       315.775       1.00     1.52542    55.78
24*        58.363      （可変） 
25           ∞         2.66     1.51633    64.14
26           ∞         1.00
像面（撮像面）∞
非球面データ
第９面
k=0.000
A4=-6.93233e-06,A6=-1.39005e-07,A8=-1.58443e-08,A10=1.48511e-10
第１０面
k=0.000
A4=-1.49162e-05,A6=-6.20458e-08,A8=-1.48805e-08,A10=1.48656e-10
第１５面
k=-0.097
A4=-3.22300e-05,A6=2.95457e-07,A8=1.77794e-09
第１６面
k=0.000
A4=9.64024e-05,A6=2.74474e-07
第２３面
k=0.000
A4=-2.57353e-05,A6=-9.08914e-09,A8=3.24006e-09
第２４面
k=0.000
A4=-2.00000e-05,A6=-4.00000e-08
ズームデータ
ズーム比       6.89
広角端     中間１    中間２    中間３    望遠端
焦点距離      14.86     23.78     38.65     62.43    102.47
ＦＮＯ．       4.35      4.45      4.97      5.03      6.42
画角２ω      83.062    51.214    31.453    19.536    11.987
像高          11.15     11.15     11.15     11.15     11.15
ｆｂ(in air)  27.11     28.19     23.67     19.70     30.71
全長(in air)  88.77     86.62     88.63     92.11     99.10
d6          0.50      2.97      9.34     17.05     22.49
d14         23.34     13.66      7.21      2.97      0.50
d20          2.00      5.99     12.59     16.57      9.58
d24         24.36     25.43     20.89     16.89     27.94
各群焦点距離
f1=47.45    f2=-10.37     f3=17.13    f4=-43.01
【０１９９】
数値実施例６
単位ｍｍ
面データ
面番号       r           d        nd        νd
物面        ∞           ∞
1         60.232       1.10     2.00069    25.46
2         34.969       0.10
3         34.887       4.32     1.49700    81.61
4        158.502       0.10
5         20.371       4.58     1.72916    54.68
6         80.000      （可変）
7        102.726       0.90     1.91082    35.25
8         10.686       5.01
9*     -1913.798       0.80     1.85135    40.10
10*        51.268       0.53
11       -138.324       2.34     1.95906    17.47
12        -20.522       0.68
13        -17.122       0.80     1.85135    40.10
14*       -42.609      （可変）
15（絞り）  ∞          1.00
16*         7.747       3.19     1.58313    59.38
17*       -84.156       0.10
18         20.586       1.75     1.49700    81.61
19        -51.172       0.81     1.88300    40.76
20          7.424       0.68
21*         9.251       6.19     1.49700    81.61
22*        -9.712      （可変）
23        -18.929       0.80     1.74100    52.64
24         19.581       0.50
25*        47.775       1.13     1.52542    55.78
26*        75.252      （可変）
27          ∞          2.66     1.51633    64.14
28          ∞          1.00
像面（撮像面）∞
非球面データ
第９面
k=0.000
A4=-3.12345e-04,A6=3.84824e-06,A8=-1.14847e-08,A10=-1.17069e-10
第１０面
k=0.000
A4=-2.89644e-04,A6=4.66501e-06,A8=-1.46745e-08,A10=-7.72838e-11
第１４面
k=0.000
A4=-4.73007e-05,A6=-5.26587e-07
第１６面
k=-0.650
A4=6.77236e-05,A6=3.86735e-07,A8=1.27396e-08
第１７面
k=0.000
A4=1.16967e-04,A6=-6.12108e-07
第２１面
k=0.000
A4=-1.41517e-04,A6=-6.05812e-08,A8=2.63013e-08
第２２面
k=0.000
A4=2.73725e-04,A6=-1.77222e-07,A8=5.73790e-08
第２５面
k=0.000
A4=1.42863e-04,A6=-1.54957e-06,A8=2.13922e-08
第２６面
k=0.000
A4=-3.96541e-05,A6=-5.00000e-08
ズームデータ
ズーム比       3.99
広角端     中間１    中間２    中間３    望遠端
焦点距離      14.55     20.14     28.60     40.23     58.07
ＦＮＯ．       3.58      4.16      4.47      5.30      6.42
画角２ω      84.621    59.179    41.621    29.920    21.023
像高          11.15     11.15     11.15     11.15     11.15
ｆｂ(in air)   9.63     12.59     14.42     19.11     25.72
全長(in air)  70.15     67.72     70.16     72.32     77.12
d6          0.50      1.23      5.43      6.85      8.53
d14         17.97     11.72      8.27      4.55      1.50
d22          4.64      4.76      4.63      4.39      3.96
d26          6.84      9.80     11.62     16.32     22.94
各群焦点距離
f1=37.85    f2=-12.08     f3=13.41    f4=-13.56
【０２００】
数値実施例７
単位ｍｍ
面データ
面番号       r           d        nd        νd
物面        ∞           ∞
1        106.124       0.80     2.00069    25.46
2         58.513       3.90     1.49700    81.61
3       -163.590       0.10
4         46.549       2.53     1.72916    54.68
5        183.798      （可変）
6        206.499       0.90     1.91082    35.25
7         13.421       7.11
8*       370.353       0.80     1.85135    40.10
9*        22.642       0.84
10         54.879       2.45     1.95906    17.47
11        -42.769       0.55
12        -43.169       0.80     1.80610    40.92
13*      -593.147      （可変）
14（絞り）  ∞          1.00
15*        13.460       3.61     1.58313    59.38
16*       -84.873       3.93
17         59.664       1.83     1.49700    81.61
18        -28.421       0.80     1.91082    35.25
19         14.228       0.42
20*        14.981       3.30     1.58313    59.38
21*       -20.665      （可変）
22        112.000       0.80     1.65160    58.55
23         15.437       1.46
24*        19.773       3.14     1.52542    55.78
25*        70.000      （可変）
26          ∞          2.66     1.51633    64.14
27          ∞          1.00
像面（撮像面）∞
非球面データ
第８面
k=0.000
A4=-2.74204e-04,A6=1.01592e-06,A8=-4.56439e-09
第９面
k=0.000
A4=-2.11236e-04,A6=7.19955e-07,A8=-2.98226e-09
第１３面
k=0.000
A4=-8.01945e-05,A6=4.90205e-07
第１５面
k=-0.897
A4=2.86935e-05,A6=4.98253e-08,A8=-1.30933e-10
第１６面
k=0.000
A4=3.08701e-05,A6=-1.44923e-07
第２０面
k=0.000
A4=-4.33016e-05,A6=-1.41280e-07
第２１面
k=0.000
A4=1.98329e-05,A6=5.90870e-08
第２４面
k=0.000
A4=3.43015e-05,A6=1.85565e-07
第２５面
k=0.000
A4=2.56860e-05,A6=1.74457e-07
ズームデータ
ズーム比       9.98
広角端     中間１    中間２    中間３    望遠端
焦点距離      14.61     26.12     46.19     82.45    145.80
ＦＮＯ．       4.56      5.14      6.29      6.42      6.42
画角２ω      83.575    47.148    26.426    14.847     8.445
像高          11.15     11.15     11.15     11.15     11.15
ｆｂ(in air)  30.51     26.05     24.67     26.75     49.43
全長(in air) 106.93     96.41    106.94    123.76    138.93
d5          0.50      0.51      8.19     18.21     33.87
d13         32.84     14.42      6.73      2.13      1.50
d21          2.00     14.36     26.28     35.59     13.06
d25         27.75     23.25     21.89     23.99     46.72
各群焦点距離
f1=64.07    f2=-12.53     f3=21.71    f4=-61.05
【０２０１】
次に、各実施例における条件式（１）〜（１６）の値を掲げる。なお、ハイフン（-）は条件式を満足しないことを示している。
条件式                    実施例１   実施例２   実施例３   実施例４
(1)β2t/β3t                   2.519      2.711      2.784      1.153
(2)β2w/β3w                   1.068      0.8856     1.231      0.6462
(3)β2t/β2w                   3.322      4.252      3.203      3.331
(4)β2t                       -1.354     -1.649     -1.363     -1.095
(5)TLt/ft                      1.022      0.9725     0.9954     0.9902
(6)f1/ft                       0.4843     0.4960     0.4642     0.4911
(7)β4w                        1.932      1.721      2.127      1.764
(8)|Δ23/Δ12|                 1.089      1.086      1.174      0.9986
(9)D3a_max/D3L-max                  0.3075     0.6196     0.2659     0.5941
(10)D4a_max/D4L-sum                 0.5458     0.8271     0.9995     0.5026
(11)|(r4f+r4b)|/|(r4f-r4b)|  0.8609     0.9405     0.5039     0.0104
(12)|(r4ff+r4fb)|/|(r4ff-r4fb)|  0.9128     0.9869     0.7292     0.6492
(13)|(r4lf+r4lb)|/|(r4lf-r4lb)|  4.06       1.83       4.147      1.918
(14)(r2ff+r2fb)/(r2ff-r2fb)       1.142      1.195      0.8683     1.649
(15)f2/fw                       -0.8734    -0.8105    -0.8646    -0.7402
(16)nd2ave                       1.893      1.893      1.895      1.920
条件式                     実施例５    実施例６    実施例７
(1)β2t/β3t                   1.061       1.824       0.6597
(2)β2w/β3w                   0.5896      1.633       0.4808
(3)β2t/β2w                   3.436         -         3.381
(4)β2t                       -1.149      -0.9655     -0.8944
(5)TLt/ft                      0.9759      1.344       0.9590
(6)f1/ft                       0.4630      0.6524      0.4394
(7)β4w                        1.651       1.814       1.567
(8)|Δ23/Δ12|                 1.038       2.051       0.9392
(9)D3a_max/D3L-max                  0.8347      0.1094      1.088
(10)D4a_max/D4L-sum                 0.4548      0.2565      0.3707
(11)|(r4f+r4b)|/|(r4f-r4b)|  1.627       0.5980      4.333
(12)|(r4ff+r4fb)|/|(r4ff-r4fb)|  1.258       0.0169      1.319
(13)|(r4lf+r4lb)|/|(r4lf-r4lb)|  1.453       4.477       1.787
(14)(r2ff+r2fb)/(r2ff-r2fb)       1.281       1.232       1.139
(15)f2/fw                      -0.6979     -0.8307     -0.8578
(16)nd2ave                       1.920       1.893       1.881
【０２０２】
図１５は、電子撮像装置としての一眼レフカメラの断面図である。図１５において、一眼レフカメラ１の鏡筒内には撮影レンズ系２が配置される。マウント部３は、撮影レンズ系２を一眼レフカメラ１のボディに着脱可能とする。マウント部３としては、スクリュータイプのマウントやバヨネットタイプのマウント等が用いられる。この例では、バヨネットタイプのマウントを用いている。また、一眼レフカメラ１のボディには、撮像素子面４、バックモニタ５が配置されている。なお、撮像素子としては、小型のＣＣＤ又はＣＭＯＳ等が用いられている。
【０２０３】
そして、一眼レフカメラ１の撮影レンズ系２として、例えば上記実施例１〜７に示したズームレンズが用いられる。
【０２０４】
図１６、図１７は、本実施例のズームレンズを備えた撮像装置の構成の概念図を示す。図１６は撮像装置としての一眼レフカメラ４０の外観を示す前方斜視図、図１７は同後方斜視図である。この一眼レフカメラ４０の撮影光学系４１に、本実施例のズームレンズが用いられている。
【０２０５】
この実施形態の一眼レフカメラ４０は、撮影用光路４２上に位置する撮影光学系４１、シャッターボタン４５、液晶表示モニター４７等を含み、一眼レフカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２０６】
図１８は、一眼レフカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２０７】
図１８に示すように、一眼レフカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２０８】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２０９】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、一眼レフカメラ４０全体を制御する。
【０２１０】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２１１】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２１２】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２１３】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２１４】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２１５】
このように構成された一眼レフカメラ４０は、所望のバックフォーカスを有し、小型で、変倍比が大きく、変倍範囲全域で高い光学性能を有する撮像装置とすることが可能となる。
【０２１６】
なお、本発明は、その趣旨を逸脱しない範囲で様々な変形例をとることができる。例えば、実施例３において、両凸レンズＬ６を２枚のレンズに分けてもよい。また、両凸レンズＬ６を、接合レンズとしても良い。また、各実施例において、開口絞りＳの位置を、第３レンズ群Ｇ３内の別の位置に配置しても良い。また、各実施例において第４レンズ群Ｇ４は、光線高が低いため、結像性能に対する影響が小さい。このため、設計の自由度が高く、最も像側に配置されたレンズの像側の面が、物体側に凸面を向けた面であれば、適宜設計変更が可能である。例えば、第４レンズ群Ｇ４は、物体側から順に正の屈折力を有するレンズと、負の屈折力を有するレンズと、で構成してもよい。また、上記各実施例により示された形状枚数には必ずしも限定されない。また、上記各実施例において、カバーガラスＣは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０２１７】
以上のように、本発明は、所望のバックフォーカスを有し、小型で、変倍比が大きく、変倍範囲全域で高い光学性能を有するズームレンズ及びこのズームレンズを備えた撮像装置に適している。
【符号の説明】
【０２１８】
Ｇ１…第１レンズ群
Ｇ２…第２レンズ群
Ｇ３…第３レンズ群
Ｇ４…第４レンズ群
Ｓ…明るさ（開口）絞り
Ｃ…平行平板
Ｉ…像面
１…一眼レフカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…一眼レフカメラ
４１…撮影光学系
４２…撮影用光路
４５…シャッターボタン
４７…液晶表示モニター
４９…ＣＣＤ
【図１】
2014061391.tif 000003
【図２】
2014061391.tif 000004
【図３】
2014061391.tif 000005
【図４】
2014061391.tif 000006
【図５】
2014061391.tif 000007
【図６】
2014061391.tif 000008
【図７】
2014061391.tif 000009
【図８】
2014061391.tif 000010
【図９】
2014061391.tif 000011
【図１０】
2014061391.tif 000012
【図１１】
2014061391.tif 000013
【図１２】
2014061391.tif 000014
【図１３】
2014061391.tif 000015
【図１４】
2014061391.tif 000016
【図１５】
2014061391.tif 000017
【図１６】
2014061391.tif 000018
【図１７】
2014061391.tif 000019
【図１８】
2014061391.tif 000020
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動することを特徴とするズームレンズ。
【請求項２】
以下の条件式（１）を満足することを特徴とする請求項１に記載のズームレンズ。
０．６５＜β２ｔ／β３ｔ＜５        （１）
ここで、
β２ｔは、望遠端における前記第２レンズ群の倍率、
β３ｔは、望遠端における前記第３レンズ群の倍率、
であって、いずれも、無限遠物点に合焦した時の倍率、
である。
【請求項３】
広角端から望遠端への変倍に際して、
前記第２レンズ群の移動は、像側への移動と、その後の物体側への移動とを少なくとも含むことを特徴とする請求項１に記載のズームレンズ。
【請求項４】
以下の条件式（２）を満足することを特徴とする請求項１又は２に記載のズームレンズ。
０．４８＜β２ｗ／β３ｗ＜２        （２）
ここで、
β２ｗは、広角端における前記第２レンズ群の倍率、
β３ｗは、広角端における前記第３レンズ群の倍率、
であって、いずれも、無限遠物点に合焦した時の倍率、
である。
【請求項５】
以下の条件式（３）を満足することを特徴とする請求項１、２、４のいずれか１項に記載のズームレンズ。
３＜β２ｔ／β２ｗ＜７        （３）
ここで、
β２ｔは、望遠端における前記第２レンズ群の倍率、
β２ｗは、広角端における前記第２レンズ群の倍率、
であって、いずれも、無限遠物点に合焦した時の倍率、
である。
【請求項６】
以下の条件式（４）を満足することを特徴とする請求項１、２、４、５のいずれか１項に記載のズームレンズ。
−１．９＜β２ｔ＜−０．７５        （４）
β２ｔは、望遠端における前記第２レンズ群の倍率であって、無限遠物点に合焦した時の倍率、
である。
【請求項７】
以下の条件式（５）を満足することを特徴とする請求項１、２、４から６のいずれか１項に記載のズームレンズ。
０．８＜ＴＬｔ／ｆｔ＜１．５        （５）
ここで、
ＴＬｔは、望遠端における前記ズームレンズ全系の全長であって、無限遠物点に合焦した時の全長、
ｆｔは、望遠端における前記ズームレンズ全系の焦点距離、
である。
【請求項８】
以下の条件式（６）を満足することを特徴とする請求項１、２、４から７のいずれか１項に記載のズームレンズ。
０．３＜ｆ１／ｆｔ＜１．０        （６）
ここで、
ｆ１は、前記第１レンズ群の焦点距離、
ｆｔは、望遠端における前記ズームレンズ全系の焦点距離、
である。
【請求項９】
以下の条件式（７）を満足することを特徴とする請求項１、２、４から８のいずれか１項に記載のズームレンズ。
１．４＜β４ｗ＜３        （７）
ここで、
β４ｗは、広角端における前記第４レンズ群の倍率であって、無限遠物点に合焦した時の倍率、
である。
【請求項１０】
前記第２レンズ群の最も像面側から前記第３レンズ群の最も像面側の間に明るさ絞りを有し、
前記明るさ絞りは、前記第３レンズ群と共に移動することを特徴とする請求項１、２、４から９のいずれか１項に記載のズームレンズ。
【請求項１１】
以下の条件式（８）を満足することを特徴とする請求項１、２、４から１０のいずれか１項に記載のズームレンズ。
０．７７＜｜Δ２３／Δ１２｜＜２．５        （８）
ここで、
Δ１２＝Ｄ１２Ｗ−Ｄ１２Ｔ、Δ２３＝Ｄ２３Ｗ−Ｄ２３Ｔであって、
Ｄ１２Ｗは、広角端における前記第１レンズ群と前記第２レンズ群の間隔、
Ｄ１２Ｔは、望遠端における前記第１レンズ群と前記第２レンズ群の間隔、
Ｄ２３Ｗは、広角端における前記第２レンズ群と前記第３レンズ群の間隔、
Ｄ２３Ｔは、望遠端における前記第２レンズ群と前記第３レンズ群の間隔、
である。
【請求項１２】
以下の条件式（９）を満足することを特徴とする請求項１、２、４から１１のいずれか１項に記載のズームレンズ。
Ｄ３ａ＿ｍａｘ／Ｄ３Ｌ−ｍａｘ＜１．２        （９）
ここで、
Ｄ３ａ＿ｍａｘは、前記第３レンズ群における空気間隔のうち、最大の空気間隔、
Ｄ３Ｌ−ｍａｘは、前記第３レンズ群におけるレンズの厚みのうち、最大のレンズ厚み、
である。
【請求項１３】
以下の条件式（１０）を満足することを特徴とする請求項１、２、４から１２のいずれか１項に記載のズームレンズ。
Ｄ４ａ＿ｍａｘ／Ｄ４Ｌ−ｓｕｍ＜１．１        （１０）
ここで、
Ｄ４ａ＿ｍａｘは、前記第４レンズ群における空気間隔のうち、最大の空気間隔、
Ｄ４Ｌ−ｓｕｍは、前記第４レンズ群におけるレンズの厚み総和、
である。
【請求項１４】
前記第４レンズ群は、最も物体側に配置されたレンズと、最も像側に配置されたレンズと、を有し、
以下の条件式（１１）を満足することを特徴とする請求項１、２、４から１３のいずれか１項に記載のズームレンズ。
０．０１＜｜（ｒ４ｆ＋ｒ４ｂ）｜／｜（ｒ４ｆ−ｒ４ｂ）｜＜４．３５  （１１）
ここで、
ｒ４ｆは、前記最も物体側に配置されたレンズの物体側レンズ面の近軸曲率半径、
ｒ４ｂは、前記最も像側に配置されたレンズの像側レンズ面の近軸曲率半径、
である。
【請求項１５】
前記第４レンズ群は、最も物体側に配置されたレンズを有し、
以下の条件式（１２）を満足することを特徴とする請求項１、２、４から１４のいずれか１項に記載のズームレンズ。
０．４＜｜（ｒ４ｆｆ＋ｒ４ｆｂ）｜／｜（ｒ４ｆｆ−ｒ４ｆｂ）｜＜２．２      （１２）
ここで、
ｒ４ｆｆは、前記最も物体側に配置されたレンズの物体側レンズ面の近軸曲率半径、
ｒ４ｆｂは、前記最も物体側に配置されたレンズの像側レンズ面の近軸曲率半径、
である。
【請求項１６】
前記第４レンズ群は、最も像側に配置されたレンズを有し、
以下の条件式（１３）を満足することを特徴とする請求項１、２、４から１５のいずれか１項に記載のズームレンズ。
０．４＜｜（ｒ４ｌｆ＋ｒ４ｌｂ）｜／｜（ｒ４ｌｆ−ｒ４ｌｂ）｜＜７      （１３）
ここで、
ｒ４ｌｆは、前記最も像側に配置されたレンズの物体側レンズ面の近軸曲率半径、
ｒ４ｌｂは、前記最も像側に配置されたレンズの像側レンズ面の近軸曲率半径、
である。
【請求項１７】
前記第４レンズ群は、最も像側に配置されたレンズを有し、
前記最も像側に配置されたレンズの像側レンズ面の形状は、像側に凹面を向けた形状であることを特徴とする請求項１、２、４から１６のいずれか１項に記載のズームレンズ。
【請求項１８】
前記第２レンズ群は、最も物体側に配置されたレンズを有し、
以下の条件式（１４）を満足することを特徴とする請求項１、２、４から１７のいずれか１項に記載のズームレンズ。
０．５＜（ｒ２ｆｆ＋ｒ２ｆｂ）／（ｒ２ｆｆ−ｒ２ｆｂ）＜１．７      （１４）
ここで、
ｒ２ｆｆは、前記第２レンズ群の最も物体側に配置されたレンズの物体側レンズ面の近軸曲率半径、
ｒ２ｆｂは、前記第２レンズ群の最も物体側に配置されたレンズの像側レンズ面の近軸曲率半径、
である。
【請求項１９】
前記第２レンズ群は、負の屈折力のレンズを少なくとも２つ有し、
２つの前記負の屈折力のレンズは、物体側から順に、隣り合って配置されていることを特徴とする請求項１、２、４から１８のいずれか１項に記載のズームレンズ。
【請求項２０】
請求項１から１９のいずれか１項に記載のズームレンズと、
撮像面を有する撮像素子を備えたことを特徴とする撮像装置。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
以下の条件式（３）を満足することを特徴とするズームレンズ。
３＜β2t／β2w＜７      （３）
ここで、
β2tは、望遠端における前記第２レンズ群の倍率、
β2wは、広角端における前記第２レンズ群の倍率、
であって、いずれも、無限遠物点に合焦した時の倍率、
である。
【請求項２】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
以下の条件式（４）を満足することを特徴とするズームレンズ。
−１．９＜β2t＜−０．７５      （４）
β2tは、望遠端における前記第２レンズ群の倍率であって、無限遠物点に合焦した時の倍率、
である。
【請求項３】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
以下の条件式（６）を満足することを特徴とするズームレンズ。
０．３＜ｆ1／ｆt＜１．０      （６）
ここで、
ｆ1は、前記第１レンズ群の焦点距離、
ｆtは、望遠端における前記ズームレンズ全系の焦点距離、
である。
【請求項４】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
以下の条件式（１０）を満足することを特徴とするズームレンズ。
Ｄ4a_max／Ｄ4L-sum＜１．１      （１０）
ここで、
Ｄ4a_maxは、前記第４レンズ群における空気間隔のうち、最大の空気間隔、
Ｄ4L-sumは、前記第４レンズ群におけるレンズの厚み総和、
である。
【請求項５】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
前記第４レンズ群は、最も物体側に配置されたレンズと、最も像側に配置されたレンズと、を有し、
以下の条件式（１１）を満足することを特徴とするズームレンズ。
０．０１＜｜（ｒ4f＋ｒ4b）｜／｜（ｒ4f−ｒ4b）｜＜４．３５      （１１）
ここで、
ｒ4fは、前記最も物体側に配置されたレンズの物体側レンズ面の近軸曲率半径、
ｒ4bは、前記最も像側に配置されたレンズの像側レンズ面の近軸曲率半径、
である。
【請求項６】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
前記第４レンズ群は、最も物体側に配置されたレンズを有し、
以下の条件式（１２）を満足することを特徴とするズームレンズ。
０．４＜｜（ｒ4ff＋ｒ4fb）｜／｜（ｒ4ff−ｒ4fb）｜＜２．２      （１２）
ここで、
ｒ4ffは、前記最も物体側に配置されたレンズの物体側レンズ面の近軸曲率半径、
ｒ4fbは、前記最も物体側に配置されたレンズの像側レンズ面の近軸曲率半径、
である。
【請求項７】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
前記第４レンズ群は、最も像側に配置されたレンズを有し、
以下の条件式（１３）を満足することを特徴とするズームレンズ。
０．４＜｜（ｒ4lf＋ｒ4lb）｜／｜（ｒ4lf−ｒ4lb）｜＜７      （１３）
ここで、
ｒ4lfは、前記最も像側に配置されたレンズの物体側レンズ面の近軸曲率半径、
ｒ4lbは、前記最も像側に配置されたレンズの像側レンズ面の近軸曲率半径、
である。
【請求項８】
物体側から像側に順に、
正の屈折力の第１レンズ群と、
負の屈折力の第２レンズ群と、
正の屈折力の第３レンズ群と、
負の屈折力の第４レンズ群と、からなり、
前記第４レンズ群は、少なくとも２枚のレンズを有し、
広角端から望遠端への変倍に際して、
前記第１レンズ群と前記第２レンズ群との間隔が広がり、
前記第２レンズ群と前記第３レンズ群との間隔は狭まり、
前記第３レンズ群と前記第４レンズ群との間隔は変動し、
前記第１レンズ群は、像側へ移動した後、物体側へ移動し、
前記第４レンズ群は、最も像側に配置されたレンズを有し、
前記最も像側に配置されたレンズの像側レンズ面の形状は、像側に凹面を向けた形状であることを特徴とするズームレンズ。
【請求項９】
以下の条件式（１）を満足することを特徴とする請求項１から８のいずれか１項に記載のズームレンズ。
０．６５＜β2t／β3t＜５      （１）
ここで、
β2tは、望遠端における前記第２レンズ群の倍率、
β3tは、望遠端における前記第３レンズ群の倍率、
であって、いずれも、無限遠物点に合焦した時の倍率、
である。
【請求項１０】
以下の条件式（２）を満足することを特徴とする請求項１から９のいずれか１項に記載のズームレンズ。
０．４８＜β2w／β3w＜２      （２）
ここで、
β2wは、広角端における前記第２レンズ群の倍率、
β3wは、広角端における前記第３レンズ群の倍率、
であって、いずれも、無限遠物点に合焦した時の倍率、
である。
【請求項１１】
以下の条件式（５）を満足することを特徴とする請求項１から１０のいずれか１項に記載のズームレンズ。
０．８＜ＴＬt／ｆt＜１．５      （５）
ここで、
ＴＬtは、望遠端における前記ズームレンズ全系の全長であって、無限遠物点に合焦した時の全長、
ｆtは、望遠端における前記ズームレンズ全系の焦点距離、
である。
【請求項１２】
以下の条件式（７）を満足することを特徴とする請求項１から１１のいずれか１項に記載のズームレンズ。
１．４＜β4w＜３      （７）
ここで、
β4wは、広角端における前記第４レンズ群の倍率であって、無限遠物点に合焦した時の倍率、
である。
【請求項１３】
前記第２レンズ群の最も像面側から前記第３レンズ群の最も像面側の間に明るさ絞りを有し、
前記明るさ絞りは、前記第３レンズ群と共に移動することを特徴とする請求項１から１２のいずれか１項に記載のズームレンズ。
【請求項１４】
以下の条件式（８）を満足することを特徴とする請求項１から１３のいずれか１項に記載のズームレンズ。
０．７７＜｜Δ23／Δ12｜＜２．５      （８）
ここで、
Δ12＝Ｄ12W−Ｄ12T、Δ23＝Ｄ23W−Ｄ23Tであって、
Ｄ12Wは、広角端における前記第１レンズ群と前記第２レンズ群の間隔、
Ｄ12Tは、望遠端における前記第１レンズ群と前記第２レンズ群の間隔、
Ｄ23Wは、広角端における前記第２レンズ群と前記第３レンズ群の間隔、
Ｄ23Tは、望遠端における前記第２レンズ群と前記第３レンズ群の間隔、
である。
【請求項１５】
以下の条件式（９）を満足することを特徴とする請求項１から１４のいずれか１項に記載のズームレンズ。
Ｄ3a_max／Ｄ3L-max＜１．２      （９）
ここで、
Ｄ3a_maxは、前記第３レンズ群における空気間隔のうち、最大の空気間隔、
Ｄ3L-maxは、前記第３レンズ群におけるレンズの厚みのうち、最大のレンズ厚み、
である。
【請求項１６】
前記第２レンズ群は、最も物体側に配置されたレンズを有し、
以下の条件式（１４）を満足することを特徴とする請求項１から１５のいずれか１項に記載のズームレンズ。
０．５＜（ｒ2ff＋ｒ2fb）／（ｒ2ff−ｒ2fb）＜１．７      （１４）
ここで、
ｒ2ffは、前記第２レンズ群の最も物体側に配置されたレンズの物体側レンズ面の近軸曲率半径、
ｒ2fbは、前記第２レンズ群の最も物体側に配置されたレンズの像側レンズ面の近軸曲率半径、
である。
【請求項１７】
前記第２レンズ群は、負の屈折力のレンズを少なくとも２つ有し、
２つの前記負の屈折力のレンズは、物体側から順に、隣り合って配置されていることを特徴とする請求項１から１６のいずれか１項に記載のズームレンズ。
【請求項１８】
請求項１から１７のいずれか１項に記載のズームレンズと、
撮像面を有する撮像素子を備えたことを特徴とする撮像装置。
【手続補正２】
【補正対象書類名】明細書
【補正対象項目名】０００８
【補正方法】変更
【補正の内容】
【０００８】
上述した課題を解決し、目的を達成するために、本発明のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
以下の条件式（３）を満足することを特徴とする。
３＜β2t／β2w＜７      （３）
ここで、
β2tは、望遠端における第２レンズ群の倍率、
β2wは、広角端における第２レンズ群の倍率、
であって、いずれも、無限遠物点に合焦した時の倍率、
である。
【手続補正３】
【補正対象書類名】明細書
【補正対象項目名】０００９
【補正方法】変更
【補正の内容】
【０００９】
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
以下の条件式（４）を満足することを特徴とする。
−１．９＜β2t＜−０．７５      （４）
β2tは、望遠端における第２レンズ群の倍率であって、無限遠物点に合焦した時の倍率、
である。
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
以下の条件式（６）を満足することを特徴とする。
０．３＜ｆ1／ｆt＜１．０      （６）
ここで、
ｆ1は、第１レンズ群の焦点距離、
ｆtは、望遠端におけるズームレンズ全系の焦点距離、
である。
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
以下の条件式（１０）を満足することを特徴とする。
Ｄ4a_max／Ｄ4L-sum＜１．１      （１０）
ここで、
Ｄ4a_maxは、第４レンズ群における空気間隔のうち、最大の空気間隔、
Ｄ4L-sumは、第４レンズ群におけるレンズの厚み総和、
である。
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
第４レンズ群は、最も物体側に配置されたレンズと、最も像側に配置されたレンズと、を有し、
以下の条件式（１１）を満足することを特徴とする。
０．０１＜｜（ｒ4f＋ｒ4b）｜／｜（ｒ4f−ｒ4b）｜＜４．３５      （１１）
ここで、
ｒ4fは、最も物体側に配置されたレンズの物体側レンズ面の近軸曲率半径、
ｒ4bは、最も像側に配置されたレンズの像側レンズ面の近軸曲率半径、
である。
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
第４レンズ群は、最も物体側に配置されたレンズを有し、
以下の条件式（１２）を満足することを特徴とするズームレンズ。
０．４＜｜（ｒ4ff＋ｒ4fb）｜／｜（ｒ4ff−ｒ4fb）｜＜２．２      （１２）
ここで、
ｒ4ffは、最も物体側に配置されたレンズの物体側レンズ面の近軸曲率半径、
ｒ4fbは、最も物体側に配置されたレンズの像側レンズ面の近軸曲率半径、
である。
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
第４レンズ群は、最も像側に配置されたレンズを有し、
以下の条件式（１３）を満足することを特徴とする。
０．４＜｜（ｒ4lf＋ｒ4lb）｜／｜（ｒ4lf−ｒ4lb）｜＜７      （１３）
ここで、
ｒ4lfは、最も像側に配置されたレンズの物体側レンズ面の近軸曲率半径、
ｒ4lbは、最も像側に配置されたレンズの像側レンズ面の近軸曲率半径、
である。
また、本発明の別のズームレンズは、
物体側から像側に順に、
正の屈折力の第１レンズ群と、
負の屈折力の第２レンズ群と、
正の屈折力の第３レンズ群と、
負の屈折力の第４レンズ群と、からなり、
第４レンズ群は、少なくとも２枚のレンズを有し、
広角端から望遠端への変倍に際して、
第１レンズ群と第２レンズ群との間隔が広がり、
第２レンズ群と第３レンズ群との間隔は狭まり、
第３レンズ群と第４レンズ群との間隔は変動し、
第１レンズ群は、像側へ移動した後、物体側へ移動し、
第４レンズ群は、最も像側に配置されたレンズを有し、
最も像側に配置されたレンズの像側レンズ面の形状は、像側に凹面を向けた形状であることを特徴とする。
【手続補正４】
【補正対象書類名】明細書
【補正対象項目名】００１３
【補正方法】変更
【補正の内容】
【００１３】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。以下の説明で、第２実施形態のズームレンズは参考例である。
【手続補正５】
【補正対象書類名】明細書
【補正対象項目名】００１４
【補正方法】変更
【補正の内容】
【００１４】
第１実施形態のズームレンズは、物体側から像側に順に、正の屈折力の第１レンズ群と、負の屈折力の第２レンズ群と、正の屈折力の第３レンズ群と、負の屈折力の第４レンズ群と、からなり、第４レンズ群は、少なくとも２枚のレンズを有し、広角端から望遠端への変倍に際して、第１レンズ群と第２レンズ群との間隔が広がり、第２レンズ群と第３レンズ群との間隔は狭まり、第３レンズ群と第４レンズ群との間隔は変動し、第１レンズ群は、像側へ移動した後、物体側へ移動することを特徴とする。
更に、以下の（Ａ）〜（Ｉ）の何れか１つを備える。
（Ａ）後述の条件式（３）を満足する。
（Ｂ）後述の条件式（４）を満足する。
（Ｃ）後述の条件式（６）を満足する。
（Ｄ）後述の条件式（１０）を満足する。
（Ｆ）第４レンズ群は、最も物体側に配置されたレンズと、最も像側に配置されたレンズと、を有し、後述の条件式（１１）を満足する。
（Ｇ）第４レンズ群は、最も物体側に配置されたレンズを有し、後述の条件式（１２）を満足する。
（Ｈ）第４レンズ群は、最も像側に配置されたレンズを有し、後述の条件式（１３）を満足する。
（Ｉ）第４レンズ群は、最も像側に配置されたレンズを有し、最も像側に配置されたレンズの像側レンズ面の形状は、像側に凹面を向けた形状である。
【手続補正６】
【補正対象書類名】明細書
【補正対象項目名】０１１２
【補正方法】変更
【補正の内容】
【０１１２】
また、第２レンズ群の像側への移動範囲を狭くできるため、第２レンズ群と第３レンズ群との間の空間を広げることなく、第２レンズ群の変倍の負担割合を大きくできる。すなわち、第２レンズ群を、ズームレンズ全系の変倍比に大きく寄与するレンズ群の１つにできる。
【国際調査報告】
2014061391.tif 000021
2014061391.tif 000022
2014061391.tif 000023
2014061391.tif 000024
2014061391.tif 000025
2014061391.tif 000026
2014061391.tif 000027
2014061391.tif 000028